(57)【特許請求の範囲】
【請求項１】
内容物を上下方向に移動させて案内するための通過部を含み、
前記通過部は、内容物を移動させる内容物通過手段と、内容物を通過させる開放部とを含み、
前記内容物通過手段は、回動可能に備えられて内容物が通過するように運動する開放部材と、閉鎖部材と、を含み、
前記開放部が前記開放部材により塞がれている状態で、前記開放部材の自由端が、内容物の重さによるプレス、前記通過部の振動、又は前記開放部材の自重によって回動することで、前記開放部が開放され、前記内容物が上下方向に通過する通過空間が形成され、
前記閉鎖部材は、前記開放部材と連動し、受取需要量以外の内容物が通過できないように、前記開放部材の回動により開放された開放部の少なくとも一部を閉鎖することを特徴とする,内容物受取装置。
【請求項２】
容器機構本体に適用されるハウジングを含み、
前記ハウジングは、内容物を取り出して待機させるための待機収納部を含み、
前記通過部に形成される前記開放部を介して前記保管部と前記待機収納部とが一部通じており、
前記通過部を介して前記保管部の内容物が前記待機収納部に移動することを特徴とする、請求項１に記載の内容物受取装置。
【請求項３】
内容物が前記通過部側に流入して案内されるようにする流入案内部材をさらに含み、
前記流入案内部材は、前記通過部側に開放されるガイド開放部を形成し、前記ガイド開放部の縁部のうちの少なくとも一部に沿って傾斜面を形成することを特徴とする、請求項１に記載の内容物受取装置。
【請求項４】
前記内容物通過手段の作動によって通過する内容物をユーザーが取得しやすい位置に誘導・移動させる内容物誘導部材をさらに備えており、
前記内容物誘導部材には、前記内容物通過手段から通過する内容物が流入するように流入部を形成し、
前記内容物誘導部材は、表面が前記流入部から縁部方向に傾斜して形成されることを特徴とする、請求項１に記載の内容物受取装置。
【請求項５】
前記内容物通過手段によって通過する内容物は、固形物、粉末、及び液状内容物のうち少なくとも一つであることを特徴とする、請求項１に記載の内容物受取装置。
【発明の詳細な説明】
【技術分野】
【０００１】
本発明は、内容物受取装置と開閉機構及びこれを備える包装容器に関し、より詳細には、通過空間を可変させ、内容物の通過空間を確保することによって、一定範囲内で内容物の通過を安定的に誘導し、内容物の通過空間を確保することと連動して通過空間と受取空間を調節し、需要量以外の内容物が受け取られることを制限するための内容物受取装置、開閉機構及びこれを備える包装容器に関する。
【背景技術】
【０００２】
一般に、固形、粉末又は液状などの内容物が保管される包装容器は、上部外周縁に雄ねじが形成された容器本体と、この容器本体とねじ結合される雌ねじが内周縁に形成され、気密を維持するための開閉機構（栓）とで構成されることが普遍的である。
【０００３】
また、使用される開閉機構は、その種類が多く、その形態も多様であり、その形態によって用途も異なっている。
【０００４】
そして、容器の開閉機構の場合、その形状がキャップ状からなり、上面は平らな形状であり、外周面枠には微細な突起が形成され、開閉機構を開放するときに手で掴んで回せるようにしている。
【０００５】
前記の技術構成は、本発明の理解を促進するための背景技術であって、本発明の属する技術分野で広く知られている従来技術を意味するものではない。
【０００６】
容器の開閉機構に対しては、韓国登録実用新案第２０―０３６０６９７号（考案の名称：蓋を用いた三重容器）に提案されている。
【発明の概要】
【発明が解決しようとする課題】
【０００７】
このような包装容器は、ユーザーが内容物を得るために毎度包装容器を傾けて内容物を取り出す場合、内容物が一度に溢れ出るので、内容物を一つずつ又は必要な需要量だけ取り出すことが不便な点を有する。
【０００８】
包装容器内の内容物の残留量が少ないときは、包装容器の下部に位置した内容物を取り出すために、包装容器を注意集中して傾けるので使用が煩雑であり、取り出される内容物が包装容器内部の下部にあるとき、内容物に手を接近させることが難しい。
【０００９】
したがって、近来、包装容器内から内容物を一つずつ取り出せるようにする包装容器が提示されているが、現在考案され使用されている、包装容器の内部に内容物を支持する軸があり、包装容器の胴体が上下に移動し、軸によって内容物の一部が包装容器の上部の通過口に出るようにするポンプ式容器は、蓋部分を含む包装容器の胴体全体を最大限上方に移してから再び下方に移動させなければならないので、作動のための操作距離が大きく、内容物全部を持ち上げてから降ろさなければならないなどの問題を有する。
【００１０】
併せて、このような包装容器には、各種飲食物、薬品又は物品などが入って提供されており、通常の包装容器に提供される開閉機構は、開閉のための機能以外には別の機能を有していない。また、一定量の内容物を得るために開閉機構を開放した後で使用するという理由により、やむを得ず包装容器内部の内容物全体が露出しやすくなり、汚染物質が浸透したり、空気と接触して内容物が酸化しやすいという問題がある。
【００１１】
さらに、内容物の定量のみを得るために指を包装容器内に突っ込んで内容物を掴んだり、包装容器を傾けて一部の内容物を手の平に出してから、再び残った内容物を包装容器内に収納するという関係で、内容物が外部汚染に露出しやすいなどの問題を有する。
【００１２】
したがって、これを改善する必要性が要請される。
【００１３】
本発明は、前記のような問題を改善するためになされたものであって、通過空間を可変させ、内容物の通過空間を確保することによって、内容物の定量通過を安定的に誘導できるようにした内容物受取装置及びこれを備える包装容器を提供することを目的とする。
【００１４】
本発明は、内容物の通過空間を確保し、内容物を定量通過することと連動して、通過空間を閉鎖し、これ以上の内容物の通過を防止するための内容物受取装置、開閉機構及びこれを備える包装容器を提供することを目的とする。
【００１５】
本発明は、ユーザーが包装容器を傾けて内容物を取り出す場合、内容物が一度に溢れ出ることを防止する内容物受取装置、開閉機構及びこれを備える包装容器を提供することを目的とする。
【００１６】
本発明は、包装容器から固形物である内容物を定量ずつ排出しながら、容器の内容物通過側を塞ぐように単数又は複数で連結される開閉板を備えることによって、内容物の定量通過を安定的に誘導しようとする内容物受取装置、開閉機構及びこれを備える包装容器を提供することを目的とする。
【００１７】
本発明は、包装容器の内容物通過側を交互に塞ぐ開閉板の開閉のための角度を制限することによって、開閉反応応答性を向上させるための内容物受取装置、開閉機構及びこれを備える包装容器を提供することを目的とする。
【００１８】
本発明は、内容物通過手段と別個に備えられる内容物受取部が、内容物通過手段を通過した内容物が待機収納空間に必要以上に流入することに抵抗し、待機収納空間に残留する内容物をユーザーが必要とする需要量にする内容物受取装置、開閉機構及びこれを備える包装容器を提供することを目的とする。
【００１９】
本発明は、通過空間を可変させ、内容物の通過空間を確保し、通過した内容物を受け取る段階で必要以上の内容物の流入を遮断し、内容物の需要量の受け取りを安定的に誘導することができ、内容物を通過させて受け取る内容物の量を調節する内容物受取装置、開閉機構及びこれを備える包装容器を提供することを目的とする。
【００２０】
本発明は、包装容器の開閉機構に内容物待機収納空間を提供し、固形、粉末又は液状などの内容物を別途に収納して保管及び使用できるようにする内容物受取装置、開閉機構及びこれを備える包装容器を提供することを目的とする。
【００２１】
本発明は、別途の開口部を有する内容物待機収納空間を有する開閉機構を提供し、前記別途の開口部を介して前記内容物待機収納空間の内容物を取り出すことによって、内容物容器本体内部の内容物全体が露出しやすくなり、汚染物質が浸透したり、空気と接触して内容物が酸化しやすくなることを防止する内容物受取装置、開閉機構及びこれを備える包装容器を提供することを目的とする。
【００２２】
本発明は、内容物を区分して保管させ、ユーザーが一定の期間に取り出すべき数量の把握などの機能を提供するためのものであって、包装容器の開閉機構が多段又は両方向に構成される場合、複数のユーザーが内容物を各自の開閉機構を通じて得ることによって、衛生管理と定量取り出しの把握を容易にする内容物受取装置、開閉機構及びこれを備える包装容器を提供することを目的とする。
【課題を解決するための手段】
【００２３】
本発明に係る内容物受取装置は、容器本体に適用される両側に開放されるハウジング；及び前記ハウジングに備えられ、内容物を移動させて案内するための通過仕切り部；を含み、前記通過仕切り部には、容器本体の内容物保管部と通じる開放ホールが形成され、この開放ホールを介して前記内容物保管部の内容物が移動し得る。
【００２４】
前記通過仕切り部は、前記開放ホールを介して内容物を移動させる内容物通過手段を含み、前記内容物通過手段の変形によって前記内容物保管部の内容物が移動し得る。
【００２５】
前記通過仕切り部は、前記内容物保管部から移動した内容物の受取需要量が前記内容物保管部に移動することを防止することができる。
【００２６】
前記内容物通過手段を通過する内容物を受け取る内容物受取部を備えており、前記内容物受取部は、前記通過する内容物を受け取り、受取需要量以外の内容物の残留を制限するように抵抗する形状を備えてもよい。
【００２７】
前記内容物受取部は、前記通過した内容物を通過方向上部で抵抗させる抵抗上板部材、及び前記通過した内容物を通過方向側面で抵抗させる抵抗側板部材のうち少なくとも一つを含み、前記内容物が前記抵抗上板部材及び前記抵抗側板部材のうち少なくとも一つに接触し、前記内容物の通過後、残留量を一定量に制限することができる。
【００２８】
前記内容物受取部は、前記内容物受取部の空間を区画する区画部材を含み、前記区画部材は、前記区画される内容物受取部の内容物受取空間の調節を通じて、前記内容物受取部に受け取られる内容物の量を制限することができる。
【００２９】
前記通過仕切り部は、開放ホール側に備えらえて内容物の移動を遮断する遮断部材を含み、前記遮断部材は、前記開放ホールの開放時、前記内容物が前記内容物保管部に移動することを遮断したり、前記内容物が前記内容物通過手段を通過するとき、前記内容物が内容物受取空間を除いた部位に流入することを防止することができる。
【００３０】
前記通過仕切り部は、前記内容物通過手段に連結し、内容物を通過させるために開放ホールを有する固定部材をさらに含んでもよい。
【００３１】
前記内容物通過手段は、前記固定部材と連結される開閉板部材；及び前記開閉板部材を回動可能に連結する軸回動部材；を含み、前記開閉板部材が回動し、前記開放ホールの開閉の有無によって前記内容物を受け取って案内することができる。
【００３２】
前記固定部材は、前記軸回動部材を回動可能に連結する軸回動固定部を含んでもよい。
【００３３】
前記軸回動固定部に連結された前記軸回動部材の回動角度は、前記軸回動固定部に備えられるストッパー、及び前記ハウジングに備えられるカバーのうち少なくとも一つによって制限されてもよい。
【００３４】
前記ハウジングは、内容物を取り出して待機させるための待機収納部を含み、前記通過仕切り部に形成される前記開放ホールを介して前記内容物保管部と前記待機収納部が一部通じており、前記開放ホールを介して前記内容物保管部の内容物が前記待機収納部に移動し得る。
【００３５】
前記通過仕切り部を通過する内容物を受け取る内容物受取部を備えており、前記内容物受取部は、前記通過する内容物を受け取り、受取需要量以外の内容物の残留を制限するように抵抗する形状を備えてもよい。
【００３６】
前記内容物受取部は、前記通過した内容物を通過方向上部で抵抗させる抵抗上板部材、及び前記通過した内容物を通過方向側面で抵抗させる抵抗側板部材のうち少なくとも一つを含み、前記内容物が前記抵抗上板部材及び前記抵抗側板部材のうち少なくとも一つに接触し、前記内容物の通過後、残留量を一定量に制限することができる。
【００３７】
前記内容物通過手段は、一側が前記固定部材に固定され、他側は固定されていないため形態が変形し、一定部位に内容物が通過し得る通過空間が形成される可変作動板を含んでもよい。
【００３８】
前記待機収納部は、容器本体に適用される内容物受取装置の内部で内容物を取り出して待機させ、前記容器本体の前記内容物保管部の内容物が前記待機収納部に移動し得る。
【００３９】
前記開放ホールは、前記開閉板部材の一側に固定されていない自由端が内容物の重さによるプレス、前記ハウジングの振動時、又は前記開閉板部材の自重による回動によって開放され、前記内容物の通過空間が形成されてもよい。
【００４０】
前記固定部材は、前記軸回動部材に連結され、前記ハウジングの内部通孔空間である通孔部の内周面に備えられてもよい。
【００４１】
前記軸回動部材は、前記開閉板部材と一体であってもよく、前記開閉板部材と分離可能に備えられてもよい。
【００４２】
前記軸回動部材は、前記軸回動固定部に連結され、自重方向と内容物のプレス方向に回動しようとする前記開閉板部材をヒンジ連結してもよい。
【００４３】
前記開閉板部材は、前記固定部材方向に一側が固定され、他側が固定されていないので、回動によって前記開放ホールを開閉することができる。
【００４４】
前記ハウジングに備えられ、前記内容物を受け取るカバーを含み、前記カバーの下部に前記待機収納部を位置させてもよい。
【００４５】
前記内容物受取部は、前記内容物が前記内容物受取部内に流入するが、前記内容物受取部を除いた部位に流入することを防止する流入部材を含んでもよい。
【００４６】
前記通過仕切り部の上部面は、前記内容物を支持する役割をし、前記内容物受取部によって受け取られた内容物が、前記上部面に備えられる待機突起の内部領域に集中し得る。
【００４７】
前記内容物受取部は、前記内容物受取部の内部に固定された突出物を含み、前記通過仕切り部を通過する内容物が前記突出物に抵抗され、内容物が内容物受取空間から逸脱することを防止することができる。
【００４８】
前記内容物受取部は、前記通過仕切り部の内容物通過方向に備えられ、需要に該当する内容物を定量だけ受け取って案内するための定量受取手段としてもよい。
【００４９】
前記内容物通過手段は、前記通過仕切り部に備えられ、需要に該当する内容物を定量だけ通過・案内して受け取るための定量通過手段としてもよい。
【００５０】
前記ハウジングに備えられ、前記受取装置を通じて受け取られる内容物を受け取るカバーを含み、前記カバーは、前記ハウジングに分離可能に結合されてもよい。
【００５１】
前記開閉板部材は、互いに隣接する複数に配置されてもよい。
【００５２】
前記内容物通過手段は、前記開閉板部材と連動して開放された前記開放ホールを閉鎖する閉鎖板部材をさらに含み、内容物が前記開閉板部材を押したとき、前記内容物は、前記開閉板部材が捲れることによって開放された前記開放ホールに流入し、前記閉鎖板部材は、前記開閉板部材と連動して前記開放ホールを閉鎖することによって、定量以上の内容物が前記開放ホールに流入することを防止することができる。
【００５３】
前記軸回動部材は、前記開閉板部材と前記閉鎖板部材との間に該当する周面にガイド板部材をさらに備えており、前記内容物は、前記ガイド板部材によって前記開閉板部材に流入する前に制限的に誘導され、前記内容物が前記ガイド板部材を圧迫して前記開閉板部材を開放させることによって通過応答性を向上させ、前記固定部材は、前記開放ホールの進入側面に側板部材を備えており、前記側板部材は、内容物が前記閉鎖板部材に沿って前記開閉板部材に流入するように案内し、前記開放ホールの内側面又は前記側板部材は、前記開閉板部材が前記開放ホールを塞いだ状態に維持するためにサポートブロックを備えており、前記閉鎖板部材は、前記開閉板部材の閉鎖状態を維持するために前記固定部材に接する支持部材を備えてもよい。
【００５４】
前記開閉板部材に連結され、中央部が開放されている開放部を有する通過枠をさらに備えてもよい。
【００５５】
前記開閉板部材は、固定されていない自由端が前記通過枠と回動可能に連結され、前記開放部に対応するように通過空間が形成されてもよい。
【００５６】
前記開閉板部材の回動時、前記開閉板部材で構成される可変作動板は、傾斜面を形成し、内容物が傾斜軌跡に沿って前記通過空間のある前記通過枠方向に移動するように案内することができる。
【００５７】
前記開閉板部材は、前記自由端で前記通過枠の前記開放部の上部、下部及び内部のうち少なくともいずれか一方向に突出する遮断部を備えており、前記開閉板部材が移動しながら前記遮断部の長さが短くなることによって、前記内容物が通過し得る前記通過空間が形成され、前記自由端、及び前記開閉板部材に結合されて前記通過枠に連結される開閉誘導部のうち少なくともいずれか一つは、前記通過枠と連結された前記自由端又は前記開閉誘導部の回動時、前記自由端又は前記開閉誘導部の拘束面が接するまで位置移動することによって、前記開閉板部材の運動量が調節されながら前記通過空間が一定のサイズに制限されてもよい。
【００５８】
前記軸回動固定部は、前記固定部材の配置位置の上側枠、周面、内側面及び下側枠のうちいずれか一ヶ所に位置固定されてもよい。
【００５９】
前記ハウジングは、内容物が前記通過仕切り部側に流入して案内されるようにする流入案内部材を備えており、前記流入案内部材は、前記通過仕切り部側に穿孔されるガイドホールを備えており、前記ガイドホールの縁部に沿って傾斜面を形成してもよい。
【００６０】
前記開閉板部材は、前記開放ホールを開放し、内容物が通過した後で復帰し、前記開放ホールを閉鎖するように助ける復元部材と連結されてもよい。
【００６１】
前記ハウジングは、前記内容物通過手段の作動によって通過する前記内容物をユーザーが取得しやすい位置に誘導・移動させる内容物誘導部材を備えており、前記内容物誘導部材は、前記内容物通過手段から通過する内容物が流入するように流入ホールを形成し、前記内容物誘導部材は、表面が前記流入ホールから縁部に行くほど傾斜して形成されてもよい。
【００６２】
前記通孔部は、内容物が貯蔵される内容物保管部と、前記内容物保管部で受け取られた後で取り出して待機させる待機収納部とに分けられてもよい。
【００６３】
また、本発明に係る開閉機構は、容器本体に適用される開閉機構であって、前記開閉機構は、内容物を取り出して待機させるための待機収納部を含み、前記開閉機構は、待機収納部が備えられる開閉機構胴体及び通過仕切り部を含み、前記通過仕切り部には、容器本体の内容物保管部と前記待機収納部とが一部通じる開放ホールが形成され、前記内容物保管部の内容物が前記待機収納部に移動し得る。
【００６４】
前記通過仕切り部を通じて、前記待機収納部に移動した需要量の内容物が前記内容物保管部に移動することを防止することができる。
【００６５】
内容物通過手段を通過する内容物を受け取る内容物受取部を含み、前記内容物受取部の形状の抵抗により、前記内容物通過手段を通過する内容物の前記内容物受取部内への残留量を制限することができる。
【００６６】
前記内容物受取部は、前記通過した内容物を通過方向上部で抵抗させる抵抗上板部材、及び前記通過した内容物を通過方向側面で抵抗させる抵抗側板部材のうち少なくとも一つを含み、前記内容物が前記抵抗上板部材及び前記抵抗側板部材のうち少なくとも一つに接触し、前記内容物の通過後、残留量を一定量に制限することができる。
【００６７】
前記内容物受取部は、前記内容物受取部の空間を区画する区画部材を含み、前記区画部材は、前記区画される内容物受取部の内容物受取空間の調節を通じて、前記内容物受取部に受け取られる内容物の量を制限することができる。
【００６８】
前記通過仕切り部は、開放ホール側に備えられ、内容物の移動を遮断する遮断部材を含み、前記遮断部材は、前記開放ホールの開放時、前記内容物が前記内容物保管部に移動することを遮断したり、前記内容物が前記内容物通過手段を通過するとき、前記内容物が内容物受取空間を除いた部位に流入することを防止することができる。
【００６９】
前記開閉機構には、前記待機収納部の内容物を取り出せる開口部が形成されてもよい。
【００７０】
前記通過仕切り部は、前記開閉機構の胴体と着脱可能である。
【００７１】
前記通過仕切り部は、開放ホールを有しながら、前記開放ホールが一定高さだけ盛り上がるように形成されてもよい。
【００７２】
前記通過仕切り部は、前記待機収納部を形成しながら内容物を通過させる内容物通過手段を含み、前記内容物通過手段の変形によって前記容器本体の内容物が前記開閉機構の待機収納部に移動し得る。
【００７３】
前記内容物通過手段は、一側が固定部材に固定され、他側は固定されていないため形態が変形し、一定部位に内容物が通過し得る通過空間が形成される可変作動板を含んでもよい。
【００７４】
前記内容物の通過は、前記可変作動板の固定されていない一側が変形することによって、前記通過空間が広くなりながら行われてもよい。
【００７５】
前記可変作動板は、前記固定部材に接して一側が固定され、他側が固定されていないので、回動によって開閉される開閉板部材を含んでもよい。
【００７６】
前記開閉板部材は、互いに隣接する複数に配置され、内容物の離脱を防止することができる。
【００７７】
前記内容物通過手段は、前記通過仕切り部に備えられ、需要に該当する内容物を定量だけ通過させて案内するための定量通過部としてもよい。
【００７８】
前記可変作動板は、前記固定部材に連結される開閉板部材；及び前記開閉板部材を回動可能に連結する軸回転部材；を含み、前記開閉板部材が回動し、前記開放ホールの開閉の有無によって前記内容物を通過させて案内することができる。
【００７９】
併せて、本発明に係る包装容器は、内容物を入れる内容物保管部側に備えられ、内容物を受け取って誘導する内容物受取装置を含み、前記内容物受取装置は、前記内容物保管部の開放側に備えられ、両側に開放されるハウジング；及び前記ハウジングの内側に備えられ、内容物を受け取って案内するための通過仕切り部；を含み、前記ハウジングは、内容物を取り出して待機させるための待機収納部を含み、前記通過仕切り部は、内容物を通過させる内容物通過手段を含み、前記通過仕切り部には、前記内容物保管部と前記待機収納部とが一部通じる開放ホールが形成され、前記内容物保管部の内容物が前記待機収納部に移動し得る。
【００８０】
前記通過仕切り部は、前記待機収納部を形成しながら、前記内容物通過手段の変形によって前記容器本体の内容物が前記待機収納部に移動し、前記待機収納部に移動した内容物が前記内容物保管部に移動することを防止することができる。
【００８１】
前記待機収納部は、前記開放ホールを介して通過する内容物の一定量のみを受け取るための形態を備える内容物受取部を含み、前記内容物受取部は、前記通過した内容物を通過方向上部に抵抗させる抵抗上板部材、及び前記通過した内容物を通過方向側面に抵抗させる抵抗側板部材のうちいずれか一つ以上を含み、前記内容物が前記抵抗上板部材及び前記抵抗側板部材のうちいずれか一つ以上に接触し、前記内容物の通過後、残留量を一定量に制限することができる。
【００８２】
前記内容物受取部は、前記内容物受取部の空間を区画し、前記内容物受取部に収納される内容物の量を制限する区画部材と、前記内容物が前記開放ホールを通過して前記待機収納部に移動するとき、前記内容物受取部を除いた部位に流入することを防止する遮断部材とを含み、前記内容物が前記内容物受取部内に流入するが、前記内容物受取部を除いた部位に流入することを防止する流入部材をさらに含んでもよい。
【００８３】
前記通過仕切り部は、前記内容物通過手段に連結し、内容物を通過させるために開放ホールを有する固定部材を含み、前記内容物通過手段は、前記固定部材と連結される開閉板部材；及び前記開閉板部材を回動可能に連結する軸回動部材；を含み、前記開閉板部材が回動し、前記開放ホールの開閉の有無によって前記内容物を通過させて案内することができる。
【００８４】
前記受取装置は、容器本体に適用される内容物受取装置であって、前記内容物受取装置の内部には、内容物を取り出して待機させるための前記待機収納部と、前記内容物通過手段を備える前記通過仕切り部とを含んでもよい。
【００８５】
前記ハウジングは、前記内容物保管部に分離可能に結合されてもよく、又は前記内容物保管部に一体に備えられてもよい。
【発明の効果】
【００８６】
以上説明したように、本発明に係る内容物受取装置、開閉機構及びこれを備える包装容器は、従来技術とは異なり、容器から固形物、粉末又は液状などの内容物を定量ずつ排出しながら、容器の内容物通過側を塞ぐように開閉板を備えたり、開放部を有する通過枠を備えることによって、内容物の需要量通過を安定的に誘導することができる。
【００８７】
本発明は、容器の内容物通過側を交互に塞ぐ開閉板の開閉のための回動角度を制限することによって、開閉反応応答性を向上させることができる。
【００８８】
本発明は、通過空間を可変させ、内容物の通過空間を確保することによって、内容物の定量通過を安定的に誘導することができる。
【００８９】
本発明は、内容物の通過空間を確保し、内容物を定量通過することと連動して通過空間を閉鎖し、これ以上の内容物が通過することを防止することができる。
【００９０】
本発明は、環状に中央部が開放されている開放部を有する通過枠に分離板を連結し、開放部の開放程度によって開放部の内側通過空間に内容物の定量通過を誘導することができる。
【図面の簡単な説明】
【００９１】
【図１】本発明の第１の実施例に係る内容物受取装置を備える包装容器の斜視図である。
【図２】本発明の第１の実施例に係る内容物受取装置を備える包装容器の分解斜視図である。
【図３】本発明の第１の実施例に係る内容物受取装置を備える包装容器の断面図である。
【図４】本発明の第１の実施例に係る内容物受取装置を備える包装容器の底面分解斜視図である。
【図５】本発明の第１の実施例に係る内容物受取装置を備える包装容器の使用状態を示した断面図である。
【図６】本発明の第１の実施例に係る内容物受取装置を備える包装容器の使用状態を示した断面図である。
【図７】本発明の第１の実施例に係る内容物受取装置を備える包装容器の使用状態を示した断面図である。
【図８】本発明の第２の実施例に係る内容物受取装置を備える包装容器の分解斜視図である。
【図９】本発明の第２の実施例に係る内容物受取装置を備える包装容器の使用状態を示した断面図である。
【図１０】本発明の第２の実施例に係る内容物受取装置を備える包装容器の使用状態を示した断面図である。
【図１１】本発明の第３の実施例に係る内容物受取装置を備える包装容器の斜視図である。
【図１２】本発明の第３の実施例に係る内容物受取装置を備える包装容器の分解斜視図である。
【図１３】本発明の第３の実施例に係る内容物受取装置の分解斜視図である。
【図１４】本発明の第３の実施例に係る内容物受取装置の底面分解斜視図である。
【図１５】本発明の第３の実施例に係る内容物受取装置の断面斜視図である。
【図１６】本発明の第３の実施例に係る内容物受取装置を備える包装容器の使用状態を示す断面図である。
【図１７】本発明の第３の実施例に係る内容物受取装置を備える包装容器の使用状態を示す断面図である。
【図１８】本発明の第３の実施例に係る内容物受取装置を備える包装容器の使用状態を示す断面図である。
【図１９】本発明の第４の実施例に係る内容物受取装置の斜視図である。
【図２０】本発明の第４の実施例に係る内容物受取装置の斜視図である。
【図２１】本発明の第５の実施例に係る内容物受取装置の分解斜視図である。
【図２２】本発明の第５の実施例に係る内容物受取装置の底面分解斜視図である。
【図２３】本発明の第５の実施例に係る内容物受取装置の使用状態を示した断面図である。
【図２４】本発明の第５の実施例に係る内容物受取装置の使用状態を示した断面図である。
【図２５】本発明の第６の実施例に係る内容物受取装置を備える包装容器の分解斜視図である。
【図２６】本発明の第６の実施例に係る内容物受取装置を備える包装容器の通過仕切り部の底面分解斜視図である。
【図２７】本発明の第６の実施例に係る内容物受取装置を備える包装容器の断面図である。
【図２８】本発明の第６の実施例に係る内容物受取装置を備える包装容器の使用状態を示した断面図である。
【図２９】本発明の第６の実施例に係る内容物受取装置を備える包装容器の使用状態を示した断面図である。
【図３０】本発明の第７の実施例に係る内容物受取装置を備える包装容器の分解斜視図である。
【図３１】本発明の第７の実施例に係る内容物受取装置を備える包装容器の断面図である。
【図３２】本発明の第７の実施例に係る通過仕切り部の平面図である。
【図３３】本発明の第７の実施例に係る通過仕切り部の分解斜視図である。
【図３４】本発明の第７の実施例に係る通過仕切り部の使用状態を示した断面図である。
【図３５】本発明の第７の実施例に係る通過仕切り部の使用状態を示した断面図である。
【図３６】本発明の第８の実施例に係る内容物受取装置を備える包装容器の分解斜視図である。
【図３７】本発明の第８の実施例に係る内容物受取装置を備える包装容器の縦断面図である。
【図３８】本発明の第９の実施例に係る内容物受取装置を備える包装容器の分解斜視図である。
【図３９】本発明の第９の実施例に係る内容物受取装置を備える包装容器の縦断面図である。
【図４０】本発明の第９の実施例に係る内容物受取装置を備える包装容器の分解斜視図である。
【図４１】本発明の第９の実施例に係る内容物受取装置の分解斜視図である。
【図４２】本発明の第９の実施例に係る内容物受取装置の断面図である。
【図４３】本発明の第９の実施例に係る内容物受取装置を備える包装容器の縦断面図である。
【図４４】本発明の第１０の実施例に係る内容物受取装置の断面図である。
【図４５】本発明の第１０の実施例に係る内容物受取装置の断面図である。
【図４６】本発明の第１０の実施例に係る内容物受取装置を備える包装容器の構成図である。
【発明を実施するための形態】
【００９２】
以下、添付の各図面を参照して、本発明に係る内容物受取装置、開閉機構及びこれを備える包装容器の各実施例を説明する。この過程で図面に示した各線の太さや構成要素のサイズなどは、説明の明瞭性と便宜上、誇張して図示する場合がある。また、後述する各用語は、本発明での機能を考慮して定義された用語であって、これは、作業者及び運用者の意図又は慣例によって変わり得る。そのため、これら用語は、本明細書全般にわたった内容に基づいて定義すべきであろう。
【００９３】
図１は、本発明の第１の実施例に係る内容物受取装置を備える包装容器の斜視図で、図２は、本発明の第１の実施例に係る内容物受取装置を備える包装容器の分解斜視図で、図３は、本発明の第１の実施例に係る内容物受取装置を備える包装容器の断面図である。
【００９４】
図４は、本発明の第１の実施例に係る内容物受取装置を備える包装容器の底面分解斜視図で、図５〜図７は、本発明の第１の実施例に係る内容物受取装置を備える包装容器の使用状態を示した断面図である。
【００９５】
図８は、本発明の第２の実施例に係る内容物受取装置を備える包装容器の分解斜視図で、図９及び図１０は、本発明の第２の実施例に係る内容物受取装置を備える包装容器の使用状態を示した断面図である。
【００９６】
図１１は、本発明の第３の実施例に係る内容物受取装置を備える包装容器の斜視図で、図１２は、本発明の第３の実施例に係る内容物受取装置を備える包装容器の分解斜視図で、図１３は、本発明の第３の実施例に係る内容物受取装置の分解斜視図である。
【００９７】
図１４は、本発明の第３の実施例に係る内容物受取装置の底面分解斜視図で、図１５は、本発明の第３の実施例に係る内容物受取装置の断面斜視図で、図１６〜図１８は、本発明の第３の実施例に係る内容物受取装置を備える包装容器の使用状態を示した断面図である。
【００９８】
図１９及び図２０は、本発明の第４の実施例に係る内容物受取装置の斜視図である。
【００９９】
図２１は、第５の実施例に係る内容物受取装置の分解斜視図で、図２２は、第５の実施例に係る内容物受取装置の底面分解斜視図で、図２３及び図２４は、本発明の第５の実施例に係る内容物受取装置の使用状態を示した断面図である。
【０１００】
図２５は、本発明の第６の実施例に係る内容物受取装置を備える包装容器の分解斜視図で、図２６は、本発明の第６の実施例に係る内容物受取装置を備える包装容器の通過仕切り部の底面分解斜視図である。
【０１０１】
図２７は、本発明の第６の実施例に係る内容物受取装置を備える包装容器の断面図で、図２８及び図２９は、本発明の第６の実施例に係る内容物受取装置を備える包装容器の使用状態を示した断面図である。
【０１０２】
図３０は、本発明の第７の実施例に係る内容物受取装置を備える包装容器の分解斜視図で、図３１は、本発明の第７の実施例に係る内容物受取装置を備える包装容器の断面図で、図３２は、本発明の第７の実施例に係る通過仕切り部の平面図である。
【０１０３】
図３３は、本発明の第７の実施例に係る通過仕切り部の分解斜視図で、図３４及び図３５は、本発明の第７の実施例に係る通過仕切り部の使用状態を示した断面図である。
【０１０４】
図３６は、本発明の第８の実施例に係る内容物受取装置を備える包装容器の分解斜視図で、図３７は、本発明の第８の実施例に係る内容物受取装置を備える包装容器の縦断面図である。
【０１０５】
図３８は、本発明の第９の実施例に係る内容物受取装置を備える包装容器の分解斜視図で、図３９は、本発明の第９の実施例に係る内容物受取装置を備える包装容器の縦断面図で、図４０は、本発明の第９の実施例に係る内容物受取装置を備える包装容器の分解斜視図である。
【０１０６】
図４１は、本発明の第９の実施例に係る内容物受取装置の分解斜視図で、図４２は、本発明の第９の実施例に係る内容物受取装置の断面図で、図４３は、本発明の第９の実施例に係る内容物受取装置を備える包装容器の縦断面図である。
【０１０７】
図４４及び図４５は、本発明の第１０の実施例に係る内容物受取装置の断面図で、図４６は、本発明の第１０の実施例に係る内容物受取装置を備える包装容器の構成図である。
【０１０８】
以下では、包装容器が立てられたとき、開閉機構が開閉される側を「上部（又は上側）」と説明し、包装容器を傾けたとき、開閉機構が開閉される側を「前方」と説明する。
【０１０９】
図１〜図４に示したように、本発明の第１の実施例に係る内容物受取装置１００を備える包装容器１は、内容物保管部１１３、ハウジング１１０及び通過仕切り部１２０を含む。
【０１１０】
内容物保管部１１３は、内容物を入れて保管する役割をする。そして、内容物保管部１１３は、内容物を入れたり通過させるように一側に開放される。もちろん、内容物保管部１１３は多様な形状及び多様な材質に適用可能である。
【０１１１】
そして、ハウジング１１０は、内容物を入れた内容物保管部１１３の通過側に備えられる。すなわち、ハウジング１１０の下側は内容物保管部１１３に連結される。このとき、内容物は、固形物、粉末又は液状などにする。
【０１１２】
特に、ハウジング１１０は、内容物保管部１１３の内容物通過側に分離可能に結合されてもよく、又は内容物保管部１１３と一体に備えられてもよい。便宜上、ハウジング１１０は、内容物保管部１１３に分離可能に結合されるものと図示する。このとき、ハウジング１１０は、ねじ結合などの多様な方式によって内容物保管部１１３に分離可能に結合されてもよい。もちろん、ハウジング１１０は、外形を多様に形成可能であり、多様な材質に適用可能である。
【０１１３】
併せて、ハウジング１１０には、両側に開放される通孔部１２１ａが形成される。
【０１１４】
そして、通過仕切り部１２０は、ハウジング１１０の内部に備えられ、内容物保管部１１３に入った内容物の定量や需要量移動を誘導する役割をする。ここで、「定量」とは、同一の個数や量、及び誤差範囲内で互いに異なる形に移動する量や個数を意味する。「需要量」とは、ユーザーが必要とする量（個数）であって、「定量」の範疇に含まれるものとする。
【０１１５】
併せて、ハウジング１１０は、上側にカバー３０を備えている。カバー３０は、通過仕切り部１２０を通じて定量ずつ移動する内容物を受け取る。カバー３０は、ハウジング１１０に分離可能に結合される。
【０１１６】
ハウジング１１０は、容器本体の内容物保管部１１３を開閉可能にする開閉機構１１０であって、別途の内容物保管部１１３の内容物通過側に備えられ、内容物通過側に分離可能に結合されてもよい。
【０１１７】
開閉機構１１０は、内部内側に内容物保管部１１３を有するように形成され、カバー３０は、開閉機構１１０の上端に締結されて仕上げられる開閉機構キャップ３０として機能する。内容物通過手段１２３が備えられる通過仕切り部１２０は、開閉機構１１０の内部に設置されてもよく、内容物保管部１１３の内部に設置されてもよい。
【０１１８】
また、通過仕切り部１２０は、固定部材１２１及び内容物通過手段１２３を含む。
【０１１９】
固定部材１２１は、ハウジング１１０の通孔部１２１ａの内側面に備えられる。そのため、固定部材１２１は、ハウジング１１０の内側、特に、通孔部１２１ａを区画する。すなわち、ハウジング１１０の通孔部１２１ａは、固定部材１２１によって分けられる。言い換えると、通孔部１２１ａは、内容物が貯蔵される内容物保管部１１３と、内容物保管部１１３で内容物を定量だけ通過させた後、取り出して待機させる待機収納部１１５とに分けられる。内容物保管部１１３は、内容物保管部１１３の内側に開放され、待機収納部１１５は、カバー３０に向かう方向に開放される。
【０１２０】
このとき、固定部材１２１は通孔部１２１ａの内側に備えられるが、形成位置に限定はない。
【０１２１】
そして、固定部材１２１には開放ホール１２２が穿孔される。開放ホール１２２は、ハウジング１１０の待機収納部１１５と内容物保管部１１３とを連結し、内容物が取り出されるようにする役割をする。このとき、開放ホール１２２の個数及び直径に限定はない。
【０１２２】
特に、開放ホール１２２は、平面上に円形や多角形などに多様に形成できるが、便宜上、四角形で図示する。
【０１２３】
また、固定部材１２１は、ハウジング１１０と一体に構成されたり、内側に一体に製作されてもよく、ハウジング１１０に分離可能に結合されてもよい。併せて、固定部材１２１は多様な形状に変形可能である。
【０１２４】
内容物通過手段１２３は、開放ホール１２２を介して内容物を定量ずつ通過させて案内する役割をする。すなわち、内容物通過手段１２３は、開放ホール１２２に接して内容物を定量ずつ通過させる役割をする。
【０１２５】
一方、内容物通過手段１２３は、開閉板部材１２４、軸回動部材１２５、軸回動固定部１２５ａ、閉鎖板部材１２７及びガイド板部材１０２を含む。
【０１２６】
軸回動部材１２５は、開閉板部材１２４と軸回動固定部１２５ａとを回動可能に連結する。このとき、軸回動部材１２５は、固定部材１２１に回動可能に結束され、開閉板部材１２４に結合され、開閉板部材１２４が共に回動するように支持する。
【０１２７】
併せて、軸回動部材１２５は、開閉板部材１２４と一体に構成されてもよく、開閉板部材１２４に分離可能に備えられてもよい。
【０１２８】
軸回動固定部１２５ａは、固定部材１２１に備えられる。特に、軸回動固定部１２５ａは、開放ホール１２２側で固定部材１２１に備えられる。
【０１２９】
そして、軸回動固定部１２５ａは、軸回動部材１２５を回動可能に連結する。そのため、開閉板部材１２４が自重や内容物の加圧によって開放ホール１２２を開閉する動作と連動して軸回動部材１２５が回動する。軸回動部材１２５は、多様な形状に適用可能であるが、便宜上、円筒状で図示する。
【０１３０】
特に、開閉板部材１２４は、開放ホール１２２を開閉する役割をするが、一つ又は複数で備えてもよいが、開閉応答性を向上させ、構造を簡単にするために一対からなってもよい。すなわち、開閉板部材１２４は、開放ホール１２２の対向する内部両側を基準にして互いに回動し、開放ホール１２２の中央部位を開閉する。言い換えると、開放ホール１２２は、開閉板部材１２４の固定されていない自由端１２４ａが内容物の重さによるプレス、又はハウジング１１０の振動時、開閉板部材１２４の自重によって回動して開放され、通過空間１１２ｃが形成される。
【０１３１】
併せて、開閉板部材１２４と軸回動部材１２５がそれぞれ一対ずつ備えられる場合、開閉板部材１２４の開放時、開放ホール１２２の縁部に沿って軸回動部材１２５が備えられていない部位である側面空間を介して内容物が集中したり、進入した内容物が離脱する現象が発生し得る。
【０１３２】
したがって、軸回動部材１２５が備えられていない開放ホール１２２の進入側には側板部材１０４が備えられる。側板部材１０４は、開放ホール１２２の縁部に沿って軸回動部材１２５間の部位に内容物が開閉板部材１２４側に集中したり、進入後に離脱することを防止する役割をする。すなわち、側板部材１０４は、内容物が閉鎖板部材１２７に沿って開閉板部材１２４に需要量だけ流入し、離脱しないように案内する役割をする。
【０１３３】
このとき、側板部材１０４は、開放ホール１２２の進入側面で固定部材１２１と一体に製作されてもよく、固定部材１２１に分離可能に設置されてもよい。もちろん、側板部材１０４は、多様な形状及び多様な材質に適用可能である。併せて、側板部材１０４の個数及びサイズに限定はない。便宜上、側板部材１０４は、対向する一対に備えられるものとする。
【０１３４】
特に、軸回動固定部１２５ａは、開放ホール１２２側で固定部材１２１と一体に製作されてもよく、固定部材１２１に分離可能に設置されてもよい。もちろん、側板部材１０４は、多様な形状及び多様な材質に適用可能である。併せて、側板部材１０４の個数及びサイズに限定はない。便宜上、側板部材１０４は、対向する一対に備えられるものとする。
【０１３５】
特に、軸回動部材１２５は、固定部材１２１又は側板部材１０４に回動可能に連結される。便宜上、軸回動部材１２５は、側板部材１０４に回転可能に連結されるものとする。このとき、対向する側板部材１０４のうちいずれか一つの側板部材１０４には一対の軸回動固定部１２５ａが備えられる。そして、各軸回動固定部１２５ａは、対応する軸回動部材１２５を回動可能に軸挿入する。併せて、軸回動固定部１２５ａのそれぞれの他側は、他の一つの側板部材１０４に据え置かれる。そのため、軸回動部材１２５と開閉板部材１２４は、軸回動固定部１２５ａを基準にして回動することになる。これにより、開閉板部材１２４は開放ホール１２２を開放又は閉鎖する。
【０１３６】
又は、軸回動固定部１２５ａは、軸回動部材１２５に備えられ、側板部材１０４に軸挿入することも可能である。
【０１３７】
一方、包装容器１が立てられたり内容物が通過しない初期状態で、開閉板部材１２４は、開放ホール１２２を塞いでいる状態を維持しなければならない。すなわち、一対の開閉板部材１２４は、同一の平面上に位置する状態を維持しなければならない。そのため、開閉板部材１２４の回動を中止させるために、開閉板部材１２４を下側で支持するサポートブロック３０２が形成される。サポートブロック３０２は、開閉板部材１２４を支持することによって、開閉板部材１２４が初期状態で下側に任意に回動することを防止する役割をする。このとき、サポートブロック３０２は、側板部材１０４に突出形成されるものとする。
【０１３８】
併せて、包装容器１が傾いたり逆さまに立てられ、内容物が通過する状態であるとき、開閉板部材１２４が捲れて開放ホール１２２を開放することになる。このとき、開閉板部材１２４が過度に捲れると、包装容器１が初期状態に立てられたときに、開閉板部材１２４が初期状態に復帰しないか、復帰応答性が低下する。そのため、開閉板部材１２４のそれぞれは、開放ホール１２２の開放のために捲れる角度が制限されなければならない。すなわち、開閉板部材１２４を通じて、開放ホール１２２の開放のための軸回動部材１２５の回転量が制限されなければならない。そのため、軸回動部材１２５は、それぞれ周面に復元部材３０４を備えている。復元部材３０４が固定部材１２１の上側面に接しながら、軸回動部材１２５は回転し、開閉板部材１２４は捲れて開放ホール１２２を開放することになる。このとき、復元部材３０４が弾性的に曲がるようにすることによって、開閉板部材１２４が内容物のプレスと自重によって開放ホール１２２を開放するとき、復元部材３０４が固定部材１２１に抵抗することによって緩衝の役割をすることにする。また、復元部材３０４が弾性復元力を有することによって、開閉板部材１２４が再び閉鎖される応答性が向上する。もちろん、復元部材３０４の個数、形状及び材質は多様に適用可能であり、軸回動部材１２５と一体に製作されてもよい。
【０１３９】
一方、閉鎖板部材１２７は、開閉板部材１２４に隣接して備えられる。そのため、閉鎖板部材１２７は、対応する開閉板部材１２４と連動して回動する。
【０１４０】
すなわち、閉鎖板部材１２７は、軸回動部材１２５の周面に備えられる。そして、開閉板部材１２４が開放ホール１２２を塞いでいるとき、閉鎖板部材１２７は、内容物が開閉板部材１２４側に流入するように開放された状態を維持する。その一方、開閉板部材１２４が開放ホール１２２を開放するとき、閉鎖板部材１２７は、内容物がこれ以上開放ホール１２２に流入することを防止するために開放ホール１２２を塞ぐ役割をする。もちろん、閉鎖板部材１２７は、軸回動部材１２５と一体に製作されてもよく、サイズ及び形状を多様に適用してもよい。
【０１４１】
また、軸回動部材１２５のそれぞれはガイド板部材１０２を備えてもよい。ガイド板部材１０２は、各軸回動部材１２５の周面に沿って開閉板部材１２４と閉鎖板部材１２７との間に位置する。そして、ガイド板部材１０２の長さＬ２は、開閉板部材１２４の長さＬ１より短く形成される（Ｌ１＞Ｌ２）。そのため、ガイド板部材１０２は、開閉板部材１２４が開放ホール１２２を塞いでいる状態で内容物保管部１１３の傾きによって内容物が押したりぶつかる力によって回転することによって、開閉板部材１２４の開放応答性が向上する。そして、内容物は、対向するガイド板部材１０２間に少量が開閉板部材１２４に移動することによって、内容物は定量だけ通過できるようになる。
【０１４２】
一方、内容物保管部１１３又はハウジング１１０の内側には流入案内部材１３０が備えられる。便宜上、流入案内部材１３０は、板状にハウジング１１０の内側に備えられるものとする。そして、流入案内部材１３０には、開放ホール１２２に対応するガイドホール１３２が穿孔される。特に、流入案内部材１３０は、内容物の通過のために内容物保管部１１３を傾けたとき、内容物保管部１１３内部の内容物が傾斜軌跡に沿って、立てられている閉鎖板部材１２７間の内側に集中して移動するように案内する役割をする。
【０１４３】
このとき、流入案内部材１３０には、縁部に沿って枠部材１３６が延長形成される。枠部材１３６は、内容物保管部１１３の上側周面を挿入する。すなわち、枠部材１３６は、内容物保管部１１３の上側周面に組み立てられる。もちろん、枠部材１３６は、内容物保管部１１３にねじ結合されてもよい。したがって、枠部材１３６は、内容物保管部１１３に分離可能に結合されることによって、内容物保管部１１３は、枠部材１３６を除去した後、内容物の補充作業を容易にすることができる。そして、ハウジング１１０は、下側が枠部材１３６の外周面に接するように嵌められて組み立てられる。そのため、流入案内部材１３０は、ハウジング１１０の内側に位置することになる。
【０１４４】
併せて、流入案内部材１３０には、内容物保管部１１３に貯蔵された内容物がガイドホール１３２に集中するように傾斜面１３４が形成される。そして、流入案内部材１３０は、閉鎖板部材１２７の回転に干渉を与えないように閉鎖板部材１２７と所定間隔だけ遊隔して配置される。また、開放ホール１２２を閉鎖板部材１２７が塞いでいない状態ではガイドホール１３２を通過した内容物が開放ホール１２２に通過し、開放ホール１２２を閉鎖板部材１２７が回転して閉鎖した状態では内容物がガイドホール１３２を通過しないように、流入案内部材１３０は閉鎖板部材１２７に近接して配置される。すなわち、流入案内部材１３０は、立てられた状態の閉鎖板部材１２７及び側板部材１０４に近接して位置し、内容物が開放ホール１２２を介して通過せずに流入案内部材１３０と固定部材１２１との間に離脱することを防止できるようにする。
【０１４５】
ハウジング１１０は、固定部材１２１の開放ホール１２２を介して通過する内容物が包装容器の外部に通過することを防止するためにカバー３０を備えている。ユーザーは、カバー３０によって待機収納部１１５の空間に移動した内容物をカバー３０の開放後に取り出す。カバー３０は、多様な方式によってハウジング１１０に開閉可能に形成され、ハウジング１１０にヒンジ連結されて開閉されてもよく、ハウジング１１０から完全に分離されて開閉されてもよい。もちろん、カバー３０は多様な形状に適用可能である。
【０１４６】
以下、本発明の第１の実施例に係る内容物受取装置１００を備える包装容器１の作用効果を説明する。
【０１４７】
図５に示すように、ユーザーが内容物保管部１１３を傾けたり逆さまに立てるなどして使用状態にすると、内容物保管部１１３内部の内容物は、ハウジング１１０の流入案内部材１３０の傾斜面１３４に沿ってガイドホール１３２を通過し、ガイド板部材１０２と開閉板部材１２４に接することになる。
【０１４８】
このとき、開閉板部材１２４は固定部材１２１の開放ホール１２２を塞いでおり、閉鎖板部材１２７は開放ホール１２２を開放している状態であり、ガイド板部材１０２が開閉板部材１２４と閉鎖板部材１２７との間に位置する。
【０１４９】
内容物は、端部が所定間隔だけ遊隔したガイド板部材１０２にぶつかったり加圧しながら、ガイド板部材１０２間を介して一定量（一定個数）のみが開閉板部材１２４側に移動することになる。特に、内容物がガイド板部材１０２を先に押すので、開閉板部材１２４の開放応答性が向上する。
【０１５０】
図中、未説明の図面符号は、上述したものに代替する。
【０１５１】
図６に示すように、一定量の内容物がガイド板部材１０２及び開閉板部材１２４を押すと、開閉板部材１２４が捲れながら開放ホール１２２が開放される。
【０１５２】
このとき、復元部材３０４が固定部材１２１に弾性的に抵抗しながら、軸回動部材１２５が一方向に回転し、開閉板部材１２４は開放ホール１２２を開放することになる。
【０１５３】
特に、閉鎖板部材１２７が開放されて内容物を受け取った状態で、閉鎖板部材１２７の閉鎖と連動して開閉板部材１２４が開放ホール１２２を開放する。そのため、これ以上の内容物が開放ホール１２２を介して通過することが防止される。
【０１５４】
図中、未説明の図面符号は、上述したものに代替する。
【０１５５】
図７に示すように、ユーザーが内容物保管部１１３を初期状態に立てると、開放ホール１２２を塞いでいる閉鎖板部材１２７が自重によって初期状態に復帰することになる。又は、ユーザーが内容物保管部１１３を立てない場合にも、開閉板部材１２４は、復元部材３０４の弾性復元によって軸回動部材１２５と共に他方向に回転し、初期位置に復帰する。特に、開閉板部材１２４がサポートブロック３０２に接するまで、軸回動部材１２５は他方向に回転する。もちろん、復元部材３０４の弾性復元が作動する構成と形状は多様に適用されてもよい。
【０１５６】
その後、ユーザーは、カバー３０を開放し、内容物を取り出す。
【０１５７】
図中、未説明の図面符号は、上述したものに代替する。
【０１５８】
図８〜図１０に示したように、本発明の第２の実施例に係る内容物受取装置１００を備える包装容器１は、内容物保管部１１３、ハウジング１１０及び通過仕切り部１２０を含む。
【０１５９】
内容物保管部１１３及びハウジング１１０は、上述したものに代替する。
【０１６０】
ハウジング１１０は、開放された一側がカバー３０の開閉によって実質的に密閉されたり、カバー３０なしで内容物受取部１８１のみが備えられ、密閉されていない状態で形成されてもよい。カバー３０は、ハウジング１１０の開放された一側を開閉可能に備えられ、多様に形成されてもよい。
【０１６１】
そして、通過仕切り部１２０は、上述したように、固定部材１２１及び内容物通過手段１２３を含む。
【０１６２】
特に、通過仕切り部１２０は、回動による開閉で内容物を内容物保管部１１３の外側に通過させて誘導する内容物通過手段１２３を含む。
【０１６３】
内容物受取装置１００は、内容物通過手段１２３と別個に内容物受取部１４１を含む。内容物受取部１４１は、内容物通過手段１２３を通過した内容物が必要な需要量以上に待機収納部１１５に流入することに抵抗し、結果的に、残留する内容物をユーザーが必要とする需要量にする役割をする。
【０１６４】
ハウジング１１０は、開閉機構１１０であって、内容物保管部１１３の内容物通過側に分離可能に結合され、容器本体の内容物保管部１１３を開閉することができる。
【０１６５】
開閉機構１１０は、内部内側に内容物を収納する待機収納部１１５を有するように形成され、包装容器１の貯蔵された内容物を分けて収納し、ユーザーが内容物を使用できるように形成される。
【０１６６】
カバー３０は、開閉機構１１０の上端に締結されて仕上げられる開閉機構キャップ３０として機能する。内容物通過手段１２３が備えられる通過仕切り部１２０は、開閉機構１１０の内部に設置されてもよく、内容物保管部１１３の内部に設置されてもよい。
【０１６７】
内容物受取部１８１は、抵抗上板部材１８２、及び抵抗側板部材１８３を含み、第５の実施例のように、区画部材１８４、遮断部材１８５、流入部材１８６、待機突起１８７及び待機部１８８をさらに含んでもよい。
【０１６８】
内容物は、内容物受取部１８１に備えられる抵抗上板部材１８２及び抵抗側板部材１８３のうちいずれか一つ以上に接触し、開放ホール１２２を通過した内容物の残留量を制限する。
【０１６９】
抵抗上板部材１８２はハウジング１１０に備えられてもよく、抵抗側板部材１８３は、ハウジング１１０、抵抗上板部材１８２、固定部材１２１及びカバー３０に備えられてもよい。
【０１７０】
特に、抵抗側板部材１８３は、内容物の通過方向に向かう固定部材１２１の表面に形成されてもよいが、開放されるカバー３０が備えられる場合、カバー３０の開放時に共に移動し、内容物を掴むときに干渉されないようにカバー３０に形成されるものとする。
【０１７１】
もちろん、抵抗上板部材１８２と抵抗側板部材１８３は、内容物の通過方向と通過側面方向に多様な形状に変形可能である。
【０１７２】
併せて、内容物通過手段１２３は、上述したように、開閉板部材１２４、軸回動部材１２５、軸回動固定部１２５ａ、閉鎖板部材１２７及びガイド板部材１０２を含む。
【０１７３】
また、内容物保管部１１３又はハウジング１１０の内側には、流入案内部材１３０が備えられる。便宜上、流入案内部材１３０は、板状にハウジング１１０の内側に備えられるものとする。そして、流入案内部材１３０には、内容物保管部１１３に貯蔵された内容物がガイドホール１３２に集中するように傾斜面１３４が形成される。流入案内部材１３０は、閉鎖板部材１２７の回転に干渉を与えないように閉鎖板部材１２７と所定間隔だけ遊隔して配置される。また、開放ホール１２２を閉鎖板部材１２７が塞いでいない状態ではガイドホール１３２を通過した内容物が開放ホール１２２に通過し、開放ホール１２２を閉鎖板部材１２７が回転して閉鎖した状態では内容物がガイドホール１３２を通過しないように、流入案内部材１３０は閉鎖板部材１２７に近接して配置される。すなわち、流入案内部材１３０は、立てられた状態の閉鎖板部材１２７及び側板部材１０４に近接して位置し、内容物が開放ホール１２２を介して通過せずに流入案内部材１３０と固定部材１２１との間に離脱することを防止できるようにする。
【０１７４】
一方、包装容器１が立てられたり内容物が通過しない初期状態で、開閉板部材１２４は、開放ホール１２２を塞いでいる状態を維持しなければならない。すなわち、一対の開閉板部材１２４が同一の平面上に位置する状態を維持しなければならない。そのため、側板部材１０４又は開放ホール１２２の内側面には、開閉板部材１２４を下側で支持するためにサポートブロック３０２が形成される。サポートブロック３０２は、開閉板部材１２４のそれぞれを支持することによって、開閉板部材１２４が初期状態で下側に任意に回動することを防止する役割をする。このとき、サポートブロック３０２は、側板部材１０４に突出形成されるものとする。
【０１７５】
併せて、包装容器１が傾いたり逆さまに立てられ、内容物を通過する状態であるとき、開閉板部材１２４が捲れて開放ホール１２２を開放することになる。このとき、開閉板部材１２４が過度に捲れると、包装容器１が初期状態に立てられたときに、開閉板部材１２４が初期状態に復帰しないか、復帰応答性が低下する。そのため、開閉板部材１２４のそれぞれは、開放ホール１２２の開放のために捲れる角度が制限されなければならない。すなわち、開閉板部材１２４が固定部材１２１に対して鋭角範囲内で回動して捲れるように、開放ホール１２２のサイズが調節される。言い換えると、開閉板部材１２４は、サポートブロック３０２で開放ホール１２２の開放のために鋭角だけ回動した後、開放ホール１２２の縁部に該当する固定部材１２１に接して停止する。
【０１７６】
これによって、内容物保管部１１３が初期状態に立てられると、開放ホール１２２を塞いでいる閉鎖板部材１２７が自重によって初期状態に復帰する応答性が向上する。特に、開閉板部材１２４がサポートブロック３０２に接するまで、軸回動部材１２５は回転する。
【０１７７】
その後、ユーザーは、カバー３０を開放し、内容物を取り出す。
【０１７８】
特に、内容物保管部１１３が捲れたり傾けられる場合、内容物は、固定部材１２１の通過空間１１２ｃを通過した後、待機収納部１１５に移動（流入）する。このとき、待機収納部１１５の内側空間が通過空間１１２ｃより広いので、内容物が待機収納部１１５側に多く流入し得る。このような現象を防止するために、待機収納部１１５は、通過空間１１２ｃに対応するように内容物受取部１８１を備えている。
【０１７９】
内容物受取部１８１は、通過空間１１２ｃ側に開放されるように形成され、通過空間１１２ｃを通過する内容物が集中的に流入する。これによって、内容物は、内容物受取部１８１の狭くなった内部空間によって内容物の過多流入が防止される。もちろん、内容物受取部１８１は多様な形状に変形可能である。
【０１８０】
図中、未説明の図面符号は、上述したものに代替する。
【０１８１】
図１１〜図１５に示したように、本発明の第３の実施例に係る内容物受取装置１００を備える包装容器１は、内容物保管部１１３、ハウジング１１０及び通過仕切り部１２０を含む。
【０１８２】
ハウジング１１０及び内容物保管部１１３は、上述したものに代替する。
【０１８３】
通過仕切り部１２０は、固定部材１２１及び内容物通過手段１２３を含む。通過仕切り部１２０は、ハウジング１１０の周面、すなわち、通孔部１２１ａの内側面に形成されてもよい。
【０１８４】
固定部材１２１は、ハウジング１１０の通孔部１２１ａの内側面に備えられる。そのため、固定部材１２１は、ハウジング１１０の内側、特に、通孔部１２１ａを区画する。そして、固定部材１２１には、通過仕切り部１２０がある開放ホール１２２が穿孔される。このとき、開放ホール１２２の個数及び直径に限定はない。
【０１８５】
特に、固定部材１２１は、ハウジング１１０の内壁で構成されたり、内側に一体に製作されてもよく、ハウジング１１０に分離可能に結合されてもよい。併せて、固定部材１２１は多様な形状に変形可能である。
【０１８６】
また、内容物通過手段１２３は、開放ホール１２２側に備えられ、自重又は内容物のプレス力によって内容物を需要量ずつ通過させる役割をする。
【０１８７】
一方、内容物通過手段１２３は、開閉板部材１２４、軸回動部材１２５、軸回動固定部１２６及び閉鎖板部材１２７を含む。
【０１８８】
開閉板部材１２４は、開放ホール１２２の内側面又は開放ホール１２２の縁部に沿って複数で備えられる。そして、内容物保管部１１３が立てられた初期状態で、開閉板部材１２４は、開放ホール１２２を閉鎖し、内容物の任意的通過及び外部からの異物の流入を防止する役割をする。併せて、内容物保管部１１３が横にされたり逆さまに立てられた使用状態で、開閉板部材１２４は、自重又は内容物のプレス力によって捲れながら開放ホール１２２を開放するようになり、内容物は通過する。このとき、内容物は、開放ホール１２２が開放するときに定量ずつ通過する。
【０１８９】
開閉板部材１２４は、自重又は内容物のプレス力によって捲れながら内容物の通過を許容できるように、開放ホール１２２の縁部に沿って複数で配置されることが好ましい。そして、開閉板部材１２４は多様な形状に変形可能である。便宜上、開閉板部材１２４は三角形状で図示する。もちろん、開閉板部材１２４の個数と材質に限定はない。
【０１９０】
そして、軸回動固定部１２５ａは、軸回動部材１２５に連結され、開閉板部材１２４のそれぞれを回動可能に固定部材１２１に連結する役割をする。又は、軸回動固定部１２６が軸回動部材１２５と一体化されているそれぞれの開閉板部材１２４に連結され、開閉板部材１２４のそれぞれを回動可能に固定部材１２１に連結してもよい。
【０１９１】
例えば、固定部材１２１は、開放ホール１２２の縁部に沿って上面に軸回動固定部１２５ａを備えている。ここで、「上面」は、内容物保管部１１３を未使用状態で立てたとき、上部に向かう固定部材１２１の表面である。
【０１９２】
そして、軸回動部材１２５は、開放ホール１２２を閉鎖している状態の開閉板部材１２４のそれぞれの上面に備えられた状態で対応する軸回動固定部１２５ａに連結される。そのため、開閉板部材１２４は、軸回動部材１２５に沿って移動する。もちろん、軸回動部材１２５と軸回動固定部１２５ａは、多様な形状に変形可能である。併せて、軸回動部材１２５は、開閉板部材１２４と一体に製作されてもよく、開閉板部材１２４に分離可能に備えられてもよい。同様に、軸回動固定部１２５ａは、固定部材１２１に分離可能に備えられてもよく、固定部材１２１と一体に製作されてもよい。
【０１９３】
また、閉鎖板部材１２７は、開閉板部材１２４のそれぞれに備えられる。そのため、閉鎖板部材１２７のそれぞれは、対応する開閉板部材１２４と連動して回動する。
【０１９４】
特に、開閉板部材１２４が開放ホール１２２を閉鎖しているとき、閉鎖板部材１２７は、開放ホール１２２を開放している状態になる。その一方、開閉板部材１２４が開放ホール１２２を開放しているとき、閉鎖板部材１２７は開放ホール１２２を閉鎖する状態になる。
【０１９５】
閉鎖板部材１２７が開放され、内容物が開閉板部材１２４側に流入した状態で、閉鎖板部材１２７が閉鎖されると共に開閉板部材１２４が開放されることによって、開閉板部材１２４側に流入した内容物が通過する。
【０１９６】
１対１に対応する開閉板部材１２４と閉鎖板部材１２７は、一体に製作されることが好ましい。また、閉鎖板部材１２７は、内容物が通過できない程度だけ開放ホール１２２の空間を閉鎖すればよいので、開閉板部材１２４の数量より少ない数量で対応し得る。
【０１９７】
したがって、一定量（個数）の内容物が開閉板部材１２４を押すと、開閉板部材１２４は、捲れながら開放ホール１２２を開放する。これと連動して、閉鎖板部材１２７が開放ホール１２２を塞ぐようになる。これによって、内容物は、定量ずつだけ開放ホール１２２を介して通過する。
【０１９８】
開放ホール１２２を介して通過した内容物はカバー３０に収容される。併せて、内容物保管部１１３が未使用状態である立てた方向に再び傾けられると、開閉板部材１２４は、開閉板部材１２４と閉鎖板部材１２７の自重による回動によって開放ホール１２２を閉鎖することになる。そのため、カバー３０に収容された内容物は、内容物保管部１１３の内部に投入されなくなる。
【０１９９】
一方、開閉板部材１２４と閉鎖板部材１２７のそれぞれは、開放ホール１２２を開放した状態で固定部材１２１の表面に対して垂直に又は鋭角だけ立てられる。これは、開放ホール１２２を開放している状態で開閉板部材１２４と閉鎖板部材１２７のそれぞれの閉鎖応答性を向上させるためである。
【０２００】
例えば、開閉板部材１２４の開放時、開放角度を制限するために、軸回動固定部１２５ａはストッパー１２９を備えている。ストッパー１２９は、軸回動固定部１２５ａに突出し、開閉板部材１２４に連結された軸回動部材１２５の回動角度を制限する役割をする。もちろん、ストッパー１２９は、多様な形状に変形可能である。
【０２０１】
併せて、閉鎖板部材１２７の開放時、開放角度を制限するために、閉鎖板部材１２７は、開放ホール１２２の開放状態で固定部材１２１に接する支持部材１２８を備えている。支持部材１２８は、閉鎖板部材１２７が一定角度以上に捲れないようにする役割をする。そして、開閉板部材１２４と閉鎖板部材１２７とが一体に製作されるので、支持部材１２８は、開閉板部材１２４が閉鎖状態を維持できるようにする役割もする。もちろん、支持部材１２８は多様な形状に変形可能である。
【０２０２】
一方、流入案内部材１３０は、内容物保管部１１３を傾けたとき、内容物保管部１１３内部の内容物が傾斜軌跡に沿って立てられている閉鎖板部材１２７の内側に集中して移動するように案内する役割をする。
【０２０３】
そのため、流入案内部材１３０は、ハウジング１１０の内部に備えられ、流入案内部材１３０にはガイドホール１３２が穿孔される。このとき、流入案内部材１３０には、開放ホール１２２と一致するようにガイドホール１３２が穿孔される。併せて、流入案内部材１３０には、ガイドホール１３２の縁部に沿って傾斜面１３４が形成される。特に、傾斜面１３４は、ガイドホール１３２の縁部に沿って流入案内部材１３０に形成される。傾斜面１３４は平面又は曲面に形成される。
【０２０４】
傾斜面１３４は、内容物保管部１１３を傾けたとき、内容物が内容物通過手段１２３方向に移動するように案内する役割をする。
【０２０５】
もちろん、流入案内部材１３０は、固定部材１２１と一つの構成で一体化されてもよく、ハウジング１１０と一体に製作されてもよく、ハウジング１１０に分離可能に嵌められてもよい。
【０２０６】
以下、本発明の第３の実施例に係る内容物受取装置１００を備える包装容器１の作用効果を説明する。
【０２０７】
図１６に示すように、ユーザーが内容物保管部１１３を傾けたり逆さまに立てるなどして使用状態にすると、内容物保管部１１３内部の内容物は、ハウジング１１０の流入案内部材１３０の傾斜面１３４に沿ってガイドホール１３２を通過して開閉板部材１２４に接することになる。
【０２０８】
このとき、開閉板部材１２４は固定部材１２１の開放ホール１２２を塞いでおり、閉鎖板部材１２７は開放ホール１２２を開放している状態である。
【０２０９】
内容物は、定量が開閉板部材１２４側に移動することになる。
【０２１０】
図中、未説明の図面符号は、上述したものに代替する。
【０２１１】
図１７に示すように、一定量の内容物が開閉板部材１２４を押すと、開閉板部材１２４は開放ホール１２２を開放するように捲れるようになり、通過空間１１２ｃが確保される。
【０２１２】
このとき、ストッパー１２９が固定部材１２１に接するまで、軸回動部材１２５が一方向に回転し、開閉板部材１２４は開放ホール１２２を開放することになる。
【０２１３】
特に、閉鎖板部材１２７が開放され、内容物を受け取った状態で、開閉板部材１２４が開放ホール１２２を開放することと連動して閉鎖板部材１２７が閉鎖されるようになる。そのため、これ以上の内容物が開放ホール１２２を介して通過することが防止される。
【０２１４】
図中、未説明の図面符号は、上述したものに代替する。
【０２１５】
図１８に示すように、開閉板部材１２４と連動して、開放ホール１２２を開放していた閉鎖板部材１２７が開放ホール１２２を閉鎖するようになる。
【０２１６】
したがって、内容物がこれ以上開放ホール１２２に流入しなくなる。そして、開放ホール１２２を通過した内容物はカバー３０に収容される。
【０２１７】
その後、ユーザーが内容物保管部１１３を初期状態に立てると、開放ホール１２２を塞いでいる閉鎖板部材１２７が自重によって初期状態に復帰するようになる。このとき、開閉板部材１２４は、復元部材３０４の弾性復元によって軸回動部材１２５と共に他方向に回転して初期位置に復帰する。特に、開閉板部材１２４がサポートブロック３０２に接するまで、軸回動部材１２５は他方向に回転する。
【０２１８】
その後、ユーザーは、カバー３０を開放し、内容物を取り出す。
【０２１９】
図中、未説明の図面符号は、上述したものに代替する。
【０２２０】
一方、図１９及び図２０に示したように、本発明の第４の実施例に係る内容物受取装置は固定部材１２１を含む。
【０２２１】
特に、固定部材１２１には、通過方向に弾性的に捲れて内容物の通過を許容する開閉板部材１２４が備えられる。
【０２２２】
軸回動部材１２５は、開閉板部材１２４の開放ホール１２２の縁部側で開閉板部材１２４を回動可能に固定部材１２１に連結し、開閉板部材と一体化されてもよい。
【０２２３】
軸回動固定部１２５ａは、固定部材１２１の開放ホール１２２の縁部であって、開閉板部材１２４は、軸回動固定部１２５ａである開放ホール１２２の縁部に開閉板部材１２４の一端である軸回動部材１２５が固定されて弾性的に捲れるようになる。このとき、開閉板部材１２４は、ハウジング１１０の上下に捲れたり又は傾けられることによって、自重方向と内容物のプレス方向に捲れるようになる。
【０２２４】
併せて、開閉板部材１２４は、軸回動固定部１２５ａを基準にして弾性的に捲れるになる。このとき、軸回動固定部１２５ａは、軸回動部材１２５の固定部材１２１の連結側に形成される折り目やブロッキング又は開閉板部材１２４の切開線が終了する外周部などに多様に適用可能である。
【０２２５】
また、開閉板部材１２４の個数及び形状に限定はない。
【０２２６】
一方、図２１〜図２４に示したように、本発明の第５の実施例に係る内容物受取装置１００を備える包装容器１は、内容物保管部１１３、ハウジング１１０、内容物受取部１８１及び通過仕切り部１２０を含む。
【０２２７】
ハウジング１１０と通過仕切り部１２０は、上述したものに代替する。
【０２２８】
このとき、ハウジング１１０は、開放された一側がカバー３０の開閉によって実質的に密閉されたり、カバー３０なしで内容物受取部１８１のみが備えられ、密閉されていない状態で形成されてもよい。カバー３０は、ハウジング１１０の開放された一側を開閉可能に備えられ、多様に形成されてもよい。
【０２２９】
特に、通過仕切り部１２０は、回動による開閉で内容物を内容物保管部１１３の外側に通過させて誘導する内容物通過手段１２３を含む。
【０２３０】
内容物受取装置１００は、内容物通過手段１２３と別個に内容物受取部１４１を含む。内容物受取部１４１は、内容物通過手段１２３を通過した内容物が必要な需要量以上に待機収納部１１５に流入することに抵抗し、結果的に残留する内容物をユーザーが必要とする需要量にする役割をする。
【０２３１】
ハウジング１１０は、開閉機構１１０であって、内容物保管部１１３の内容物通過側に分離可能に結合され、容器本体の内容物保管部１１３を開閉することができる。
【０２３２】
開閉機構１１０は、内部内側に内容物を収納する待機収納部１１５を有するように形成され、包装容器１の貯蔵された内容物を分けて収納し、ユーザーが内容物を使用できるように形成される。
【０２３３】
カバー３０は、開閉機構１１０の上端に締結されて仕上げられる開閉機構キャップ３０として機能する。内容物通過手段１２３が備えられる通過仕切り部１２０は、開閉機構１１０の内部に設置されてもよく、内容物保管部１１３の内部に設置されてもよい。
【０２３４】
内容物受取部１８１は、抵抗上板部材１８２、抵抗側板部材１８３、区画部材１８４、遮断部材１８５、流入部材１８６、待機突起１８７及び待機部１８８を含む。
【０２３５】
内容物は、内容物受取部１８１に備えられる抵抗上板部材１８２及び抵抗側板部材１８３のうちいずれか一つ以上に接触し、開放ホール１２２を通過した内容物の残留量を制限する。
【０２３６】
抵抗上板部材１８２はハウジング１１０に備えられてもよく、抵抗側板部材１８３は、ハウジング１１０、抵抗上板部材１８２、固定部材１２１及びカバー３０に備えられてもよい。
【０２３７】
特に、抵抗側板部材１８３は、内容物通過方向に向かう固定部材１２１の表面に形成されてもよいが、開放されるカバー３０が備えられる場合、カバー３０の開放時に共に移動し、内容物を掴むときに干渉されないようにカバー３０に形成されるものとする。
【０２３８】
もちろん、抵抗上板部材１８２と抵抗側板部材１８３は、内容物の通過方向と通過側面方向に多様な形状に変形可能である。
【０２３９】
また、区画部材１８４は、内容物受取部１８１の空間を区画し、開放ホール１２２を通過する内容物の残留量を制限する役割をする。
【０２４０】
区画部材１８４は、区画される前記内容物受取部１８１の実質的な内容物受取空間を調節し、内容物受取部１８１に受け取られる内容物の量を制限する役割をする。区画部材１８４は、カバー３０側で固定部材１２１方向に形成されたり、内容物受取部を区画する多様な方向と形状に変形可能である。
【０２４１】
併せて、遮断部材１８５は、固定部材１２１の上面方向から突出形成される。詳細には、遮断部材１８５は、内容物通過方向に向かう固定部材１２１の表面に突出する。このとき、遮断部材１８５は、内容物が開放ホールを通過した後、内容物受取部１８１を除いた部位に流入することを防止する役割をする。
【０２４２】
ここで、待機部１８８は、待機収納部１１５の一部分に該当する。
【０２４３】
また、内容物受取部１８１は流入部材１８６を含む。
【０２４４】
流入部材１８６は、開放ホールを通過した内容物が内容物受取部１８１に誘導され、誘導部位を除いた部位に流入することが防止されるように、内容物受取部１８１に含まれる。流入部材１８６は、区画部材１８４と所定間隔だけ遊隔するようにカバー３０に突出形成されてもよい。もちろん、流入部材１８６は多様な形状に変形可能である。
【０２４５】
そして、固定部材１２１の上部面、すなわち、カバー３０に向かう固定部材１２１の表面は、内容物を支持する役割をし、上部面に備えられる待機突起１８７は、内容物を待機部１８８に集める役割をする。待機収納部１１５の内部で、内容物は、待機部１８８に位置し、取り出して待機させる。
【０２４６】
待機突起１８７は、固定部材１２１の開放ホール１２２の縁部に沿ってカバー３０方向に突出する。もちろん、待機突起１８７は多様な形状に変形可能である。
【０２４７】
ここで、内容物通過手段１２３は、開閉板部材１２４及び軸回動部材１２５を含む。
【０２４８】
開閉板部材１２４は、固定部材１２１の開放ホール１２２を開閉する役割をする。
【０２４９】
ハウジング１１０が傾いたとき、開閉板部材１２４は、自重及び内容物のプレス力によって開放ホール１２２を開放する。その一方、ハウジング１１０が正しく立てられると、開閉板部材１２４は自重によって開放ホール１２２を閉鎖する。
【０２５０】
また、軸回動部材１２５は、開閉板部材１２４が開放ホール１２２の内側で回転できるようにする役割をする。このとき、軸回動部材１２５は多様な形状に変形可能である。
【０２５１】
併せて、ハウジング１１０が立てられた状態で、開閉板部材１２４が開放ホール１２２を閉鎖している状態を維持するようにストッパー１２９を備えている。
【０２５２】
すなわち、開閉板部材１２４は、自重及び内容物のプレス力によって軸回動部材１２５を基準にして一方向に回転し、開放ホール１２２を開放する。
【０２５３】
その一方、開閉板部材１２４は、自重によって軸回動部材１２５を基準にして他方向に回転し、開放ホール１２２を塞ぐ。このとき、ストッパー１２９が固定部材１２１の表面に接することによって、開閉板部材１２４が他方向にこれ以上回転することが防止される。
【０２５４】
一方、図２５〜図２９に示したように、本発明の第６の実施例に係る内容物受取装置１００を備える包装容器１は、通過仕切り部１２０、通過仕切り部ハウジング２５０及びハウジング１１０を含む。
【０２５５】
そして、通過仕切り部１２０は、内容物通過手段１２３及び固定部材２５３を含む。
【０２５６】
内容物保管部１１３に分離可能に結合されるハウジング１１０は、上述したものに代替する。
【０２５７】
内容物通過手段１２３は、ハウジング１１０の内部に備えられ、内容物保管部１１３に入った内容物を定量ずつ移動させて誘導する役割をする。
【０２５８】
併せて、ハウジング１１０は、上側にカバー３０を備えている。カバー３０は、通過仕切り部１２０を通じて定量ずつ移動する内容物を受け取る。カバー３０は、ハウジング１１０に分離可能に結合される。
【０２５９】
特に、内容物通過手段１２３は、開閉板部材２４２、軸回動部材１４５、軸回動固定部２５２及び通過枠２５８を含む。
【０２６０】
通過仕切り部ハウジング２５０は、ハウジング１１０の開放側周面に備えられる。そして、通過仕切り部ハウジング２５０はリング状からなる。併せて、通過仕切り部ハウジング２５０は、取り替えのためにハウジング１１０に分離可能に結合され、多様な形状及び多様な材質に変形可能である。通過仕切り部ハウジング２５０は、内容物保管部１１３の外側に被せられ、ハウジング１１０は通過仕切り部ハウジング２５０を覆うことになる。
【０２６１】
通過枠２５８は、開閉板部材２４２に連結され、中央部が開放されている開放部２５１を有する。そして、開閉板部材２４２は、固定されていない自由端２４２ａが通過枠２５８と回動可能に連結され、開放部２５１に対応するように内容物の通過空間１１２ｃが形成される。
【０２６２】
軸回動部材２４５が開閉板部材２４２を支持し、軸回動部材２４５の一側に回動係止部２５４を備えている。
【０２６３】
回動係止部２５４のそれぞれは、軸回動固定部２５２に係止された状態で開閉板部材２４２の回動時にピボットとしての役割をする。すなわち、回動係止部２５４は、軸回動部材２４５のそれぞれの一側に備えられ、軸回動固定部２５２に係止された状態で自重方向と内容物のプレス方向に回動しようとする開閉板部材２４２をヒンジ連結する。このとき、回動係止部２５４は、軸回動部材２４５のそれぞれに多様な形状に一体に又は分離可能に備えられる。
【０２６４】
また、軸回動固定部２５２は固定部材２５３に連結される。このとき、軸回動固定部２５２は多様な形状に適用可能であるが、便宜上、リング状で図示する。
【０２６５】
併せて、軸回動固定部２５２は、多様な方式で固定部材２５３に連結されてもよい。例えば、軸回動固定部２５２は、円周方向に沿って一定間隔だけ遊隔して構成される連結リブである固定部材２５３に連結される。したがって、軸回動固定部２５２は、固定部材２５３に固定されるように連結される。もちろん、軸回動固定部２５２は多様な材質に適用可能である。
【０２６６】
軸回動固定部２５２は、固定部材２５３の配置位置の上側枠、周面、内側面及び下側枠のうちいずれか１ヶ所に位置して固定される。
【０２６７】
特に、開閉板部材２４２は、一つ以上備えられ、軸回動固定部２５２に連結されて通過空間１１２ｃを形成することによって、定量の内容物が通過し得る空間を確保する役割をする。
【０２６８】
すなわち、開閉板部材２４２と連結された軸回動部材２４５のそれぞれは、一側が軸回動固定部２５２に回動可能に連結される。そのため、ハウジング１１０を内容物通過のために振る場合、開閉板部材２４２の他側が互いに広がりながら、通過空間１１２ｃが確保される。したがって、内容物は、ハウジング１１０の内容物保管部１１３から確保された通過空間１１２ｃを介して通過する。便宜上、開閉板部材２４２は、互いに分離された複数からなるものとする。
【０２６９】
併せて、開閉板部材２４２のそれぞれの他側は、互いに拘束され、通過空間１１２ｃの開放量が調節されなければならない。これは、開閉板部材２４２が過度に捲れることによって初期位置に復帰しないことを防止するためであって、通過空間１１２ｃの開放量を調節することによって内容物の定量通過を誘導するためである。
【０２７０】
そのため、内容物通過手段１２３は、開閉誘導部材２５６及び通過枠２５８を含む。
【０２７１】
開閉誘導部材２５６は、軸回動部材２４５のそれぞれの他側に備えられる。もちろん、開閉誘導部材２５６は、軸回動部材２４５のそれぞれに多様な形状に一体に又は分離可能に備えられる。そして、開閉誘導部材２５６と軸回動部材２４５は、一体に製作されて開閉板部材２４２に結合されてもよい。
【０２７２】
開閉板部材２４２が軸回動部材２４５と一体化されてもよい。
【０２７３】
また、通過枠２５８は、開閉誘導部材２５６のそれぞれを係止するように形成される。そのため、通過枠２５８は、開閉板部材２４２の回動時、開閉誘導部材２５６に接した状態で位置移動する。すなわち、初期状態で開閉板部材２４２が回動して通過空間１１２ｃを確保する過程で、開閉誘導部材２５６は、通過枠２５８に沿って「ａ」位置から「ｂ」位置に移動するようになる（図２８参照）。これによって、開閉板部材２４２は、他側同士が広がるようになる。したがって、通過枠２５８は、開閉板部材２４２のそれぞれの回動量を調節し、内容物の通過のための通過空間１１２ｃを確保する。
【０２７４】
開閉板部材１４２は、通過空間１１２ｃの内側に遮断部１４６が形成される。
【０２７５】
併せて、開閉板部材２４２が開放されて通過空間１１２ｃを確保した状態から初期状態に復帰するとき、開閉板部材２４２のそれぞれは初期の閉鎖位置に復帰しなければならなく、速い開放のために通過空間１１２ｃを所定に維持していなければならない。このとき、通過空間１１２ｃは、内容物が任意に通過できないサイズを有する。そのため、通過枠２５８は、開閉板部材２４２のそれぞれの閉鎖位置復元力を維持させる役割をする。
【０２７６】
このとき、通過枠２５８は多様な形状に形成できるが、便宜上、リング状で図示する。通過枠２５８と開閉誘導部材２５６は互いに拘束する。
【０２７７】
一方、開閉板部材２４２のそれぞれには、通過枠２５８に拘束された状態で自重による回動応答性が向上するように通過空間１１２ｃに接した縁部に凸部２４４が形成されてもよい。すなわち、ハウジング１１０が初期状態に立てられる場合、凸部２４４は、開閉板部材２４２を初期状態に復帰する応答性向上のための重量錘としての役割をする。もちろん、凸部２４４は多様な形状に変形可能である。
【０２７８】
十分に空間が確保された通過空間１１２ｃを介して通過する内容物は、カバー３０によって外部に排出されることが防止された状態で待機収納部１１５に貯蔵される。
【０２７９】
このとき、内容物誘導部材２６０は、十分に通過空間１１２ｃの空間を確保した状態で開閉板部材２４２と接しないように、開閉板部材２４２に近接してハウジング１１０の内側に備えられる。これは、内容物誘導部材２６０が開閉板部材２４２の回動に干渉を与えないようにするためであって、通過空間１１２ｃを介して通過する内容物が流入ホール２６２を介して開閉板部材２４２と内容物誘導部材２６０との間に漏れることを防止するためである。
【０２８０】
特に、内容物誘導部材２６０は、表面が流入ホール２６２から中央に行くほど傾斜して形成される。より詳細には、内容物誘導部材２６０のカバー３０側表面は、流入ホール２６２から中央方向に行くほど高さが低くなるように傾斜して形成される。これは、内容物保管部１１３が初期状態に正しく立てられる場合、通過した内容物が流入ホール２６２と近い場所である内容物誘導部材２６０の中央に位置し、ユーザーが手で掴み易くするためである。
【０２８１】
以下、本発明の第６の実施例に係る内容物受取装置１００を備える包装容器１の作用効果を説明する。
【０２８２】
図２８に示すように、ユーザーが内容物保管部１１３を傾けたり逆さまに立てるなどして使用状態にすると、内容物保管部１１３内部の内容物は、開閉板部材２４２の傾斜面に沿って移動し、開閉板部材２４２を内容物の通過方向に押すことになる。このとき、開閉板部材２４２は、凸部２４４の自重によって迅速に互いに広がるようになる。
【０２８３】
これにより、内容物の通過のための通過空間１１２ｃが十分に確保される。
【０２８４】
内容物は、通過空間１１２ｃを介して開閉板部材２４２を通過した後でカバー３０に落下する。
【０２８５】
図中、未説明の図面符号は、上述したものに代替する。
【０２８６】
図２９に示すように、ユーザーが内容物保管部１１３を初期状態に立てると、互いに広がった開閉板部材２４２は、凸部２４４の自重によって迅速に集まり、通過空間１１２ｃを狭めることになる。これにより、内容物は、通過空間１１２ｃを介して任意に通過しなくなる。
【０２８７】
その後、ユーザーは、カバー３０を開放し、内容物を取り出す。
【０２８８】
図中、未説明の図面符号は、上述したものに代替する。
【０２８９】
一方、図３０〜図３５に示したように、本発明の第７の実施例に係る定量通過機能を有する包装容器１は、ハウジング１１０及び通過仕切り部１２０を含む。
【０２９０】
本実施例では、ハウジング１１０と他の実施例での内容物保管部とが一つの構成で一体化されているが、分離結合可能な構造（例えば、ねじ線回転結合や圧入など）で形成されてもよく、この場合、それぞれが別途に流通し得るという長所がある。
【０２９１】
便宜上、通過仕切り部１２０は、ハウジング１１０に備えられるものとする。
【０２９２】
ハウジング１１０は、内容物の充填のために底や周面を開閉可能な構造であってもよく、スナップ（ｓｎａｐ）形態に開閉可能に形成してもよい。
【０２９３】
特に、ハウジング１１０は、別途の内容物保管部の内容物通過側に備えられてもよい。ハウジング１１０は、内容物保管部の内容物通過側に分離可能に結合されてもよく、又は、内容物保管部に一体に備えられてもよい。もちろん、ハウジング１１０は外形を多様に形成してもよく、多様な材質に適用可能である。
【０２９４】
併せて、ハウジング１１０には、両側に開放される通孔部１２１ａが形成される。
【０２９５】
そして、通過仕切り部１２０は、ハウジング１１０の内部に備えられ、ハウジング１１０又は内容物保管部に入った内容物を定量ずつ通過させて誘導する役割をする。カバー３０は、ハウジング１１０に分離可能に結合される。
【０２９６】
ハウジング１１０は、別途の内容物保管部１１３を開閉可能にする開閉器で１１０であって、別途の内容物保管部１１３の内容物通過側に備えられ、内容物通過側に分離可能に結合されてもよい。
【０２９７】
開閉機構１１０は、内部内側に内容物保管部１１３を有するように形成され、カバー３０は、開閉機構１１０の上端に締結されて仕上げられる開閉機構キャップ３０として機能する。内容物通過手段１２３が備えられる通過仕切り部１２０は、開閉機構１１０の内部に設置されてもよく、内容物保管部１１３の内部に設置されてもよい。
【０２９８】
通過仕切り部１２０は、固定部材１２１及び内容物通過手段１２３を含む。
【０２９９】
固定部材１２１は、ハウジング１１０の通孔部１２１ａの内側面に備えられる。そのため、固定部材１２１は、ハウジング１１０の内側、特に、通孔部１２１ａを区画する。すなわち、ハウジング１１０の通孔部１２１ａは、固定部材１２１によって分けられる。言い換えると、通孔部１２１ａは、内容物が貯蔵される内容物保管部１１３と、内容物を内容物保管部１１３で需要量だけ通過させた後、取り出して待機させる待機収納部１１５とに分けられる。内容物保管部１１３は、内容物保管部１１３の内側に開放され、待機収納部１１５はカバー３０に向かう方向に開放される。
【０３００】
このとき、固定部材１２１は通孔部１２１ａの内側に備えられるが、形成位置に限定はない。
【０３０１】
そして、固定部材１２１には、開放ホール１２２が穿孔される。開放ホール１２２は、ハウジング１１０の待機収納部１１５と内容物保管部１１３とを連結し、内容物が取り出されないようにする役割をする。このとき、開放ホール１２２の個数及び直径に限定はない。
【０３０２】
また、固定部材１２１は、ハウジング１１０と一体に構成されたり、内側に一体に製作されてもよく、ハウジング１１０に分離可能に結合されてもよい。併せて、固定部材１２１は多様な形状に変形可能である。
【０３０３】
固定部材１２１は、通過仕切り部１２０と接しているハウジング１１０の内壁であって、ハウジング１１０と一体化されている。
【０３０４】
内容物通過手段１２３は、開放ホール１２２を介して内容物を需要量ずつ通過させて案内する役割をする。本実施例の場合、内容物通過手段１２３は、ハウジング１１０の内壁の全体開放空間である開放ホール１２２の内側に備えられ、自重又は内容物のプレス力によって内容物を需要量ずつ通過させる役割をする。
【０３０５】
一方、内容物通過手段１２３は、開閉板部材１４２、軸回動部材１４３、軸回動固定部１２５ａ及び通過枠２５８を含み、軸回動固定部１２５ａは、連結貫通孔１６４及び係止突起１６６を含む。
【０３０６】
軸回動固定部１２５ａは固定部材１２１に連結される。特に、軸回動固定部１２５ａは、開放ホール１２２側で固定部材１２１に連結される。このとき、軸回動固定部１２５ａは多様な形状に適用可能であるが、便宜上、リング状で図示する。
【０３０７】
そして、軸回動固定部１２５ａは、開閉板部材１４２を回動可能に連結する。
【０３０８】
軸回動固定部１２５ａは、固定部材１２１と一体化されてもよく、ハウジング１１０の内壁と一体化されてもよい。
【０３０９】
開閉板部材１４２は、開放ホール１２２の内側面又は開放ホール１２２の縁部に沿って備えられる。そして、内容物保管部１１３が立てられた初期状態で、開閉板部材１４２は、開放ホール１２２を閉鎖し、内容物の任意的通過及び外部からの異物の流入を防止する役割をする。併せて、内容物保管部１１３が横にされたり逆さまに立てられた使用状態で、開閉板部材１４２は、自重又は内容物のプレス力によって捲れながら通過空間１１２ｃを確保するようになることによって、内容物は通過する。このとき、内容物は、開放ホール１２２の内部にある通過空間１１２ｃの確保された空間によって需要量ずつ通過する。
【０３１０】
開閉板部材１４２は、通過空間１１２ｃを形成できるように軸回動固定部１２５ａに備えられる。特に、開閉板部材１４２は、一つ以上備えられ、軸回動固定部１２５ａに連結されて通過空間１１２ｃを形成することによって、需要量の内容物が通過し得る空間を確保する役割をする。
【０３１１】
すなわち、開閉板部材１４２と連結された軸回動部材１４３のそれぞれは、一側が軸回動固定部１２５ａに回動可能に連結される。そのため、ハウジング１１０を内容物通過のために振る場合、開閉板部材１４２の他側が互いに広がり、通過空間１１２ｃが確保される。したがって、内容物は、確保された通過空間１１２ｃを介してハウジング１１０の内容物保管部１１３から通過する。便宜上、開閉板部材１４２は、互いに分離された複数からなるものとする。
【０３１２】
開閉板部材１４２は、開放ホール１２２の内側面又は開放ホール１２２の縁部に沿って備えられる。そして、内容物保管部１１３が立てられた初期状態で、開閉板部材１４２は、開放ホール１２２を閉鎖し、内容物の任意的通過及び外部からの異物の流入を防止する役割をする。併せて、内容物保管部１１３が横にされたり逆さまに立てられた使用状態で、開閉板部材１４２は、自重又は内容物のプレス力によって捲れながら通過空間１１２ｃを確保するようになることによって、内容物は通過する。このとき、内容物は、開放ホール１２２の内部にある通過空間１１２ｃの確保された空間によって需要量ずつ通過する。
【０３１３】
開閉板部材１４２は、通過空間１１２ｃを形成できるように軸回動固定部１２５ａに備えられる。特に、開閉板部材１４２は、一つ以上備えられ、軸回動固定部１２５ａに連結されて通過空間１１２ｃを形成することによって、需要量の内容物が通過し得る空間を確保する役割をする。
【０３１４】
すなわち、開閉板部材１４２と連結された軸回動部材１４３のそれぞれは、一側が軸回動固定部１２５ａに回動可能に連結される。そのため、ハウジング１１０を内容物の通過のために振る場合、開閉板部材１４２の他側が互いに広がり、通過空間１１２ｃが確保される。したがって、内容物は、確保された通過空間１１２ｃを介してハウジング１１０の内容物保管部１１３から通過する。便宜上、開閉板部材１４２は、互いに分離された複数からなるものとする。
【０３１５】
開閉板部材１４２は、軸回動部材１４３と一体に構成されてもよい。
【０３１６】
本実施例において、開閉板部材１４２は、軸回動部材１４３と一つの構成で一体化されており、開閉板部材１４２が軸回動部材１４３と一つの構成で軸回動固定部１２５ａに回動連結される。
【０３１７】
軸回動固定部１２５ａは、固定部材１２１に連結される。特に、軸回動固定部１２５ａは、開放ホール１２２側で固定部材１２１に連結される。このとき、軸回動固定部１２５ａは多様な形状に適用可能であるが、便宜上、リング状で図示する。
【０３１８】
そして、軸回動固定部１２５ａは、開閉板部材１４２を回動可能に連結する。
【０３１９】
軸回動固定部１２５ａは、固定部材１２１と一体化されてもよく、ハウジング１１０の内壁と一体化されてもよい。
【０３２０】
一方、開閉板部材１４２の開放時、開閉板部材１４２で構成される可変作動板１４０は流入案内部材として機能するようになり、内容物保管部１１３を傾けたとき、ハウジング１１０内部の内容物が傾斜軌跡に沿って通過空間１１２ｃがある通過枠２５８方向に集中して移動するように案内する役割をする。
【０３２１】
内容物通過手段１２３は、ハウジング１１０の内壁である固定部材１２１に一側が固定され、固定されていない他側が回動し、互いに隣接して形成され内容物が抜け出ないが、一定の部位には、内容物が通過し得る通過空間１１２ｃが形成されるようにする開閉板部材１４２で構成される可変作動板１４０を含む。
【０３２２】
また、内容物の通過は、開閉板部材１４２の固定されていない他側がハウジング１１０の内部で回動することによって、通過空間１１２ｃが広くなりながら内容物が通過するように構成してもよい。
【０３２３】
開閉板部材１４２の固定されていない他側は、ユーザーがハウジング１１０を傾けたり振る場合、開閉板部材１４２の自重又は内容物のプレス力によって回動するように構成してもよい。
【０３２４】
通過枠２５８は、開閉板部材１４２に連結され、中央部が開放されている開放部２５１を有する。そして、開閉板部材１４２は、固定されていない自由端２４２ａが通過枠２５８と回動可能に連結され、開放部２５１に対応するように内容物の通過空間１１２ｃが形成される。
【０３２５】
開閉板部材１４２は、通過空間１１２ｃの内側に遮断部１４６が形成される。
【０３２６】
ここで、開閉板部材１４２が変形しながら遮断部１４６の長さが短くなることによって、内容物が開放部２５１内側の通過空間１１２ｃに通過する。
【０３２７】
また、開閉板部材１４２の遮断部１４６には、開閉板部材１４２が通過枠２５８に形成された連結孔１５３から離脱することを防止する突出係止部１４４がさらに形成される。
【０３２８】
遮断部１４６の終端は、ウレタン又はシリコンなどの弾性材料で形成され、内容物が通過空間１１２ｃを通過するときに抵抗する役割をし、需要量だけ通過することを助けるように形成される。
【０３２９】
一方、通過枠２５８のボディー１５１には、開閉板部材１４２の終端部が貫通し、離脱しないように係止されながら、開閉板部材１４２の変形時、自由に滑ることができる連結孔１５３が形成されることが好ましい。
【０３３０】
そして、軸回動固定部１２５ａの胴体１６２には、周部に沿って開閉板部材１４２の終端部が貫通して抜け出ないように係止される連結貫通孔１６４が形成される。
【０３３１】
軸回動固定部１２５ａには、胴体１６２の外周部に沿って多数で突出し、包装容器１のハウジング１１０の内壁に胴体１６２を固定させるための係止突起１６６がさらに形成される。
【０３３２】
通過空間１１２ｃは、通過枠２５８を貫通させ、一端がハウジング１１０の底面に固定され、通過枠２５８の可変動きを案内するためのガイド棒１７０をさらに含む。
【０３３３】
また、ガイド棒１７０は、突出部１７２を備えており、突出部１７２は、通過枠２５８の下面を支持するように形成される。
【０３３４】
開閉板部材１４２の固定されていない他側が回動し、ハウジング１１０の待機収納部１１５方向に開放されることによって、通過空間１１２ｃが広くなりながら内容物を通過させるようになる。
【０３３５】
言い換えると、包装容器１を掴んだユーザーが包装容器１を前方に振ると、通過枠２５８が前方に瞬間的に前進しながら通過枠２５８の通過空間１１２ｃを塞いでいた開閉板部材１４２の長さ終端部が通過枠２５８の外径に近くなり、通過枠２５８の内径が開放され、通過空間１１２ｃを介して内容物の通過が行われる。
【０３３６】
特に、開閉板部材１４２は、通過枠２５８内側の上部、下部及び内部のうちいずれか一方向に突出する遮断部１４６を備えている。そのため、開閉板部材１４２が移動しながら遮断部１４６の長さが短くなることによって、内容物が通過空間１１２ｃを通過する。
【０３３７】
このとき、開閉板部材１４２が通過枠２５８に直接連結されてもよく、又は、図示していないが、別途の開閉誘導部を介して通過枠２５８に間接的に連結されてもよい。
【０３３８】
図中、未説明の図面符号は、上述したものに代替する。
【０３３９】
図３６〜図３７に示したように、本発明の第８の実施例に係る包装容器は、開閉機構１０５と、開閉機構１０５で開閉される容器本体２００とを含んで構成される容器に適用される。
【０３４０】
本実施例において、開閉機構１０５は、包装容器１に適用されて待機収納部１１５を形成する。待機収納部１１５は、開閉機構１０５の内部に形成され、容器本体２００とは別途の待機収納空間として活用される。このために、開閉機構１０５は、待機収納部１１５が形成されるハウジング及び通過仕切り部１２０を含む。
【０３４１】
待機収納部１１５に別途に収納される内容物は、開閉機構１０５に形成された開口部を介して取り出してもよい。本発明は、通過仕切り部１２０を介して容器本体２００の内容物を待機収納部１１５に入れることができるように構成される。すなわち、通過仕切り部１２０は、内容物保管部１１３と待機収納部１１５とが一部通じており、内容物保管部１１３の内容物が待機収納部１１５に移動し得るようにするものである。また、通過仕切り部１２０は、待機収納部１１５に移動した内容物が内容物保管部１１３に移動しないように形成されてもよい。
【０３４２】
開閉機構１０５は、内容物を保管する内容物保管部である待機収納部１１５を有するように形成され、容器本体２００の貯蔵された内容物を分けて収納し、ユーザーが内容物を使用できるように形成されてもよい。
【０３４３】
また、開閉機構１０５は、上端外周面にねじ結合されるねじ部１１１が形成され、下端内周面にも、ねじ結合されるねじ部１１２が形成されてもよい。
【０３４４】
そして、開閉機構１０５は、内部内側に内容物を保管する待機収納部１１５を有するように形成されるハウジング１１０と、ハウジング１１０の上端に締結されて仕上げられるカバー３０と、ハウジング１１０の待機収納部１１５が形成されるように待機収納部１１５と容器本体２００の貯蔵空間である内容物保管部１１３とを分割して境界をなす通過仕切り部１２０とを含む。
【０３４５】
容器本体２００には、開閉機構１０５が開閉されるように上端外周面にねじ結合されるねじ部２０１が形成され、底部２０２は密閉されるように形成され、内側には内容物が貯蔵される内容物保管部１１３を有するように形成されてもよい。この結合には、ねじ結合又は嵌め結合などの多様な方法が適用されてもよい。
【０３４６】
前記のように構成される開閉機構は、容器本体の内容物を使用量だけ開閉機構の内容物待機収納空間に別途に収納して保管及び使用することができ、容器本体の内容物全体が露出しやすくなり、汚染物質が浸透したり空気と接触し、内容物が酸化しやすくなることを防止すると共に、内容物の一定量のみを容易に使用できるようにする。
【０３４７】
図中、未説明の図面符号は、上述したものに代替する。
【０３４８】
図３８〜図３９に示したように、本発明の第９の実施例に係る包装容器１は、開閉機構１０５と、開閉機構１０５で開閉される容器本体２００とを含む。
【０３４９】
以下、本発明の第２の実施例に係る開閉機構１０５を有する包装容器１の構成という点では、上述した第１の実施例と同一であるので、同一の部分には同一の符号を付与し、それについての具体的な説明は省略する。
【０３５０】
開閉機構１０５は、内部内側に待機収納部１１５を有するように形成されるハウジング１１０と、ハウジング１１０の上端に締結されて仕上げられるカバー３０と、ハウジング１１０の待機収納部１１５が形成されるように待機収納部１１５と容器本体２００の貯蔵空間とを分割して境界をなす通過仕切り部１２０とを含み、通過仕切り部１２０は、開放ホール１４１を有しながら、開放ホール１４１が一定高さだけ盛り上がるように形成される。
【０３５１】
開放ホール１４１により、内容物は、容器本体２００の内容物保管部１１３からハウジング１１０の内容物保管部である待機収納部１１５に移動し得る。
【０３５２】
内容物保管部１１３にあった内容物は、包装容器を大きく傾けたり振る場合、ハウジング１１０の内容物保管部である待機収納部１１５に移動するものであり、一旦移動した後は、開放ホール１４１が一定高さだけ高い場所に形成されているので、日常的に使用する過程で内容物が再び開放ホール１４１を介して容器本体２００に戻らなくなり、容器を傾けて内容物を開閉機構１０５の外側に取り出すときにも、内容物保管部１１３にある内容物は取り出されなくなる。
【０３５３】
特に、図４０〜図４３を参照すると、本発明に係る包装容器１は、開閉機構１０５と、開閉機構１０５で開閉される容器本体２００とを含んで構成される包装容器に適用される。
【０３５４】
開閉機構１０５は、内部内側に内容物を保管する待機収納部１１５を有するように形成されるハウジング１１０と、ハウジング１１０の上端に締結されて仕上げられるカバー３０と、ハウジング１１０の待機収納部１１５が形成されるように待機収納部１１５と容器本体２００の貯蔵空間とを分割して境界をなしながら形態が変わる内容物通過手段とを含んで構成されてもよく、内容物通過手段の変形により、容器本体２００の内容物が開閉機構１０５に通過する。
【０３５５】
一方、内容物通過手段の変形により、容器本体２００の内容物が開閉機構１０５に通過する方法とは異なり、第２の実施例と第５の実施例のように、開閉機構１０５の内部に内容物受取部を備えており、容器本体２００から開閉機構１０５に移動した内容物を開閉機構１０５にユーザーが需要とする量だけ残留させることができる。
【０３５６】
内容物通過手段は、固定部材１２１に一側が固定され、他側は固定されていないため形態が変形し、互いに隣接して形成されて内容物が抜け出ないが、一定部位には内容物が通過し得る通過空間１１２ｃが形成されるようにする開閉板部材１４２で構成される可変作動板１４０と、環状に中央部が開放されている開放部２５１を有する通過枠２５８とを有する。
【０３５７】
また、開閉板部材１４２は、固定されていない前記他側が通過枠２５８と連結されながら、開放部２５１内に通過空間１１２ｃが形成されるようにしながら、開放部２５１の内側に遮断部１４６が形成され、開閉板部材１４２が変形しながら通過枠２５８の開放部２５１に形成された遮断部１４６の長さが短くなることによって、内容物が開放部２５１内側の通過空間１１２ｃを介して移動する。
【０３５８】
言い換えると、開閉板部材１４２は、固定されていない自由端が通過枠２５８と連結され、開放部２５１内に内容物の通過空間１１２ｃが形成され、開閉板部材１４２の回動時、開閉板部材１４２で構成される可変作動板１４０は、傾斜面を形成し、内容物が傾斜軌跡に沿って通過空間のある通過枠２５８方向に移動するように案内することができる。このとき、開閉板部材１４２は、開放部２５１の内部方向に遮断部１４６を備えており、内容物は、開閉板部材１４２が移動しながら通過枠２５８内側の遮断部１４６の長さが短くなることによって開放部２５１を通過することができる。
【０３５９】
また、開閉板部材１４２の固定されていない前記他側は、ユーザーが容器本体２００を振ったり傾ける場合、開閉板部材１４２の自由端２４２ａの自重によってその形態が変形するものであり、遮断部１４６は、その自由端２４２ａがウレタン又はシリコンなどの弾性材料で形成され、内容物が通過空間１１２ｃを通過するときに抵抗する役割をし、定量だけ通過するように形成されてもよい。
【０３６０】
また、通過枠２５８の胴体１５１は、開閉板部材１４２の終端部が貫通し、離脱しないように係止されながら、開閉板部材１４２の変形時に自由に滑ることができる連結貫通孔１５３がさらに形成されてもよく、開閉板部材１４２の遮断部１４６には、開閉板部材１４２が通過枠２５８に形成された連結貫通孔１５３から離脱することを防止する突出係止部がさらに形成されてもよい。
【０３６１】
通過枠２５８は、円形の環状であってもよいが、四角形、八角形などの多様な形態も可能である。また、通過枠２５８は、自重による運動機能を有し得る金属であれば適当であるが、合成樹脂などの材質であっても構わない。
【０３６２】
一方、開閉機構１０５には、周部に沿って開閉板部材１４２の終端部が貫通して抜け出ないように係止される連結貫通孔１６４が形成され、周部は内壁に固定され、開閉板部材１４２が仕切り周部内壁又は容器本体２００の内壁に固定されるようにする係止固定具１６０をさらに含んでもよく、係止固定具１６０の外周部に沿って多数に突出し、容器本体２００の内壁に係止固定具１６０を固定させるための係止突起１６６がさらに形成されてもよい。開閉板部材１４２の固定されていない前記他側が開閉機構１０５の待機収納部１１５方向に変形することによって、通過空間１１２ｃが広くなりながら内容物が排出されてもよい。言い換えると、包装容器を掴んだユーザーが容器を前後方に振ると、包装容器内の通過枠２５８が前方に瞬間的に前進しながら通過枠２５８の開放部２５１を塞いでいた開閉板部材１４２の長さ終端部が通過枠２５８の外径に近くなり、通過枠２５８の内径が開放されながら容器を振る慣性により、容器の内側にある内容物が前方通過枠２５８の開放部２５１を介して外側に排出されながら内容物の通過が行われる。このとき、ユーザーが容器を振ることに慣れると、ユーザーの振る力と振る時間の調節によって定量のみをより容易に通過させることができる。
【０３６３】
図中、未説明の図面符号は、上述したものに代替する。
【０３６４】
図４４〜図４６に示したように、本発明の第１０の実施例に係る開閉機構１０５を有する包装容器は、内容物待機収納空間の一部又は全部が容器本体内に形成されるように、開閉機構１０５の下部は容器本体２００の内部に延長されてもよく、図４５に示したように、通過仕切り部１２０は、着脱可能に容器本体２００と結合された形態であってもよく、図４６に示したように、２個以上の開閉機構１０５が容器本体２００の上下に結合されてもよく、複数の開閉機構１０５が連続して結合されてもよい。
【０３６５】
図４４に示したように、内容物待機収納空間の一部又は全部が容器本体２００内に形成されると、容器の待機収納空間の活用度が高くなり、通過仕切り部１２０が着脱可能である場合、内容物によって適切な通過仕切り部１２０を選択して結合可能であり、待機収納部の洗浄も容易になる。
【０３６６】
図中、未説明の図面符号は、上述したものに代替する。
【０３６７】
本発明は、図面に示した実施例を参考にして説明したが、これは例示的なものに過ぎなく、当該技術分野で通常の知識を有する者であれば、これから多様な変形及び均等な他の実施例が可能であるという点を理解するだろう。したがって、本発明の真の技術的保護範囲は、下記の特許請求の範囲によって定めるべきであろう。
【図１】
0006413155.tif 000002
【図２】
0006413155.tif 000003
【図３】
0006413155.tif 000004
【図４】
0006413155.tif 000005
【図５】
0006413155.tif 000006
【図６】
0006413155.tif 000007
【図７】
0006413155.tif 000008
【図８】
0006413155.tif 000009
【図９】
0006413155.tif 000010
【図１０】
0006413155.tif 000011
【図１１】
0006413155.tif 000012
【図１２】
0006413155.tif 000013
【図１３】
0006413155.tif 000014
【図１４】
0006413155.tif 000015
【図１５】
0006413155.tif 000016
【図１６】
0006413155.tif 000017
【図１７】
0006413155.tif 000018
【図１８】
0006413155.tif 000019
【図１９】
0006413155.tif 000020
【図２０】
0006413155.tif 000021
【図２１】
0006413155.tif 000022
【図２２】
0006413155.tif 000023
【図２３】
0006413155.tif 000024
【図２４】
0006413155.tif 000025
【図２５】
0006413155.tif 000026
【図２６】
0006413155.tif 000027
【図２７】
0006413155.tif 000028
【図２８】
0006413155.tif 000029
【図２９】
0006413155.tif 000030
【図３０】
0006413155.tif 000031
【図３１】
0006413155.tif 000032
【図３２】
0006413155.tif 000033
【図３３】
0006413155.tif 000034
【図３４】
0006413155.tif 000035
【図３５】
0006413155.tif 000036
【図３６】
0006413155.tif 000037
【図３７】
0006413155.tif 000038
【図３８】
0006413155.tif 000039
【図３９】
0006413155.tif 000040
【図４０】
0006413155.tif 000041
【図４１】
0006413155.tif 000042
【図４２】
0006413155.tif 000043
【図４３】
0006413155.tif 000044
【図４４】
0006413155.tif 000045
【図４５】
0006413155.tif 000046
【図４６】
0006413155.tif 000047